(57)【要約】  本願は、無線充電方法および電子デバイスを開示するものであり、無線充電の分野に関する。その結果、電子デバイスの無線充電モードを逆方向無線充電モードから受信モードへ自動的に切り替えて、電子デバイスの無線充電を適応的に実装し、無線充電の信頼性を向上させ、ユーザの無線充電体験を向上させることができる。方法は、電子デバイスが、前記電子デバイスが逆方向無線充電モードにあるときに第１検出信号を送信する段階と、前記電子デバイスが、前記第１検出信号が送信される少なくとも２つの隣接する時点の間のギャップ時点に、無線充電デバイスにより送信される第２検出信号を受信する段階と、前記電子デバイスにより受信される前記第２検出信号が事前設定条件を満たしている場合に、前記電子デバイスが前記逆方向無線充電モードから順方向無線充電モードへ自動的に切り替わる段階とを含む。
2022501703.tif 000002
【特許請求の範囲】
【請求項１】
無線充電方法であって、
電子デバイスが、前記電子デバイスが逆方向無線充電モードにあるときに第１検出信号を送信する段階と、
前記電子デバイスが、前記第１検出信号が送信される少なくとも２つの隣接する時点の間のギャップ時点に、無線充電デバイスにより送信される第２検出信号を受信する段階と、
前記電子デバイスにより受信される前記第２検出信号が事前設定条件を満たしている場合に、前記電子デバイスが前記逆方向無線充電モードから順方向無線充電モードへ自動的に切り替わる段階と
を備える方法。
【請求項２】
前記第１検出信号の送信周波数が第１送信周波数であり、前記第２検出信号の送信周波数が第２送信周波数であり、前記第１送信周波数は、前記第２送信周波数とは異なり、前記第１送信周波数は、前記第２送信周波数の整数倍ではない、請求項１に記載の無線充電方法。
【請求項３】
前記事前設定条件は、
前記電子デバイスにより受信される前記第２検出信号の電圧が第１電圧閾値より大きいこと、
前記電子デバイスにより受信される前記第２検出信号の電流が第１電流閾値より大きいこと、または、
前記電子デバイスにより受信される前記第２検出信号の電力が第１電力閾値より大きいこと
のうちの少なくとも１つを含む、請求項１または２に記載の無線充電方法。
【請求項４】
前記事前設定条件は、
事前設定時間内に前記電子デバイスにより受信される前記第２検出信号の電圧が第１電圧閾値より大きい回数が、第１回数閾値より大きいこと、
事前設定時間内に前記電子デバイスにより受信される前記第２検出信号の電流が第１電流閾値より大きい回数が、第２回数閾値より大きいこと、または、
事前設定時間内に前記電子デバイスにより受信される前記第２検出信号の電力が第１電力閾値より大きい回数が、第３回数閾値より大きいこと
のうちの少なくとも１つを含む、請求項１または２に記載の無線充電方法。
【請求項５】
前記電子デバイスが前記無線充電デバイスに応答信号を送信する段階であって、前記応答信号は、指示情報を保持し、前記指示情報は、前記電子デバイスにより受信される前記第２検出信号が前記事前設定条件を満たしていることを示すために使用される、段階
を更に備える請求項１から４のいずれか一項に記載の無線充電方法。
【請求項６】
前記電子デバイスが前記無線充電デバイスに応答信号を送信する前記段階の後、
前記電子デバイスが、前記無線充電デバイスにより送信される充電信号を受信する段階
を更に備える請求項５に記載の無線充電方法。
【請求項７】
前記充電信号の送信電力が前記第２検出信号の送信電力より大きい、および／または、
前記充電信号の送信周波数が前記第２送信周波数より高い、
請求項６に記載の無線充電方法。
【請求項８】
送信モジュールと、受信モジュールと、処理モジュールとを備える電子デバイスであって、
前記送信モジュールは、前記電子デバイスが逆方向無線充電モードにあるときに第１検出信号を送信するように構成され、
前記受信モジュールは、前記第１検出信号が送信される少なくとも２つの隣接する時点の間のギャップ時点に、無線充電デバイスにより送信される第２検出信号を受信するように構成され、
前記処理モジュールは、前記受信モジュールにより受信される前記第２検出信号が事前設定条件を満たしている場合に、前記電子デバイスを前記逆方向無線充電モードから順方向無線充電モードへ自動的に切り替えるように構成される、
電子デバイス。
【請求項９】
前記第１検出信号の送信周波数が第１送信周波数であり、前記第２検出信号の送信周波数が第２送信周波数であり、前記第１送信周波数は、前記第２送信周波数とは異なり、前記第１送信周波数は、前記第２送信周波数の整数倍ではない、請求項８に記載の電子デバイス。
【請求項１０】
前記事前設定条件は、
前記電子デバイスにより受信される前記第２検出信号の電圧が第１電圧閾値より大きいこと、
前記電子デバイスにより受信される前記第２検出信号の電流が第１電流閾値より大きいこと、または、
前記電子デバイスにより受信される前記第２検出信号の電力が第１電力閾値より大きいこと
のうちの少なくとも１つを含む、請求項８または９に記載の電子デバイス。
【請求項１１】
前記事前設定条件は、
事前設定時間内に前記電子デバイスにより受信される前記第２検出信号の電圧が第１電圧閾値より大きい回数が、第１回数閾値より大きいこと、
事前設定時間内に前記電子デバイスにより受信される前記第２検出信号の電流が第１電流閾値より大きい回数が、第２回数閾値より大きいこと、または、
事前設定時間内に前記電子デバイスにより受信される前記第２検出信号の電力が第１電力閾値より大きい回数が、第３回数閾値より大きいこと
のうちの少なくとも１つを含む、請求項８または９に記載の電子デバイス。
【請求項１２】
前記送信モジュールは更に、前記無線充電デバイスに応答信号を送信するように構成され、前記応答信号は、指示情報を保持し、前記指示情報は、前記電子デバイスにより受信される前記第２検出信号が前記事前設定条件を満たしていることを示すために使用される、
請求項８から１１のいずれか一項に記載の電子デバイス。
【請求項１３】
前記受信モジュールは更に、前記送信モジュールが前記無線充電デバイスに前記応答信号を送信した後、前記無線充電デバイスにより送信される充電信号を受信するように構成される、
請求項１２に記載の電子デバイス。
【請求項１４】
前記充電信号の送信電力が前記第２検出信号の送信電力より大きい、および／または、
前記充電信号の送信周波数が前記第２送信周波数より高い、
請求項１３に記載の電子デバイス。
【請求項１５】
プロセッサと通信インタフェースとを備えるチップであって、前記プロセッサは、メモリ内に記憶されるコンピュータプログラムを読み取り、実行して、請求項１から７のいずれか一項に記載の無線充電方法を実装するように構成される、チップ。
【請求項１６】
プロセッサと、送受信器と、メモリとを備える電子デバイスであって、前記メモリは、１または複数のプログラムを記憶するように構成され、前記１または複数のプログラムは、コンピュータにより実行可能な命令を含み、前記電子デバイスが実行されると、前記プロセッサは、前記メモリ内に記憶される前記コンピュータにより実行可能な命令を実行し、結果として、前記電子デバイスは、請求項１から７のいずれか一項に記載の無線充電方法を実行するように前記送受信器を制御する、電子デバイス。
【請求項１７】
コンピュータ命令を記憶するコンピュータ可読記憶媒体であって、コンピュータ上で前記コンピュータ命令が実行されると、前記コンピュータプログラムは、請求項１から７のいずれか一項に記載の無線充電方法を実行することができる、コンピュータ可読記憶媒体。
【請求項１８】
コンピュータプログラムコードを備えるコンピュータプログラム製品であって、コンピュータ上で前記コンピュータプログラムコードが実行されると、前記コンピュータは、請求項１から７のいずれか一項に記載の無線充電方法を実行することができる、コンピュータプログラム製品。
【発明の詳細な説明】
【技術分野】
【０００１】
本願は、無線充電技術の分野、特に、無線充電方法および電子デバイスに関する。
【背景技術】
【０００２】
無線充電技術の発達に伴い、ユーザは携帯電話などの電子デバイスを無線充電方式で充電することができる。このように、充電プロセスにおいて、データラインと電子デバイスとの間の適応関係などを考慮する必要がないため、ユーザによる使用が容易になる。
【０００３】
例えば、無線充電技術は、順方向無線充電モードおよび逆方向無線充電モードを含み得る。
【０００４】
例えば、電子デバイスＡが電子デバイスＢを無線で充電する場合、すなわち、電子デバイスＡが電子デバイスＢに無線充電電流を出力し、かつ、電子デバイスＢが、電子デバイスＡにより出力される無線充電電流を受け取る場合は、電子デバイスＡは逆方向無線充電モードにあり、電子デバイスＢは順方向無線充電モードにある。電子デバイスＡが無線充電台上に置かれ、かつ、電子デバイスＡが、無線充電台により出力される無線充電電流を受け取る場合は、電子デバイスＡは順方向無線充電モードにある。
【０００５】
電子デバイスＡが順方向無線充電モードにあり、充電のために無線充電台により出力される充電電流を受け取る場合は、電子デバイスＡを順方向無線充電モードから逆方向無線充電モードに切り替えて、電子デバイスＡが電子デバイスＢに無線充電電流を出力できるようにするために、手動設定を実行する必要がある。同様に、電子デバイスＡが逆方向無線充電モードにあり、充電電流を出力して電子デバイスＢを充電する場合は、電子デバイスＡを逆方向無線充電モードから順方向無線充電モードに切り替えて、無線充電台が電子デバイスＡを無線で充電できるようにするために、手動設定を実行する必要がある。電子デバイスＡが逆方向無線充電モードにある場合は、電子デバイスＡが手動設定で逆方向無線充電モードから順方向無線充電モードに切り替わらないと、電子デバイスＡが無線充電台上に置かれている場合でも、電子デバイスＡは逆方向無線充電モードにある場合がある。その結果、無線充電台により出力される充電電流を電子デバイスＡが受け取ることができず、電子デバイスＡを充電することができず、電子デバイスＡが故障していると誤解されるため、ユーザの無線充電体験に影響を与え得る。
【発明の概要】
【０００６】
本願の幾つかの実施形態は、電子デバイスの無線充電モードを自動的に切り替えて、無線充電の信頼性を向上させ、かつ、ユーザの無線充電体験を向上させることができるように、無線充電方法および電子デバイスを提供する。
【０００７】
前述の目的を達成するために、本願は以下の技術的解決策を提供する。
【０００８】
第１態様によれば、無線充電方法が提供される。無線充電方法は、電子デバイスが、電子デバイスが逆方向無線充電モードにあるときに第１検出信号を送信し、第１検出信号が送信される少なくとも２つの隣接する時点の間のギャップ時点に、無線充電デバイスにより送信される第２検出信号を受信する段階と、次に、電子デバイスにより受信される第２検出信号が事前設定条件を満たしている場合に、電子デバイスが逆方向無線充電モードから順方向無線充電モードへ自動的に切り替わる段階とを含む。
【０００９】
本願のこの実施形態で提供する無線充電方法によれば、電子デバイスが逆方向無線充電モードにあっても、電子デバイスは、電子デバイスが第１検出信号を送信する時点の間のギャップ時点に、無線充電デバイスにより送信される第２検出信号を受信することができ、電子デバイスにより受信される第２検出信号が事前設定条件を満たしている場合、電子デバイスは、逆方向無線充電モードから順方向無線充電モードへ自動的に切り替わって、電子デバイスが逆方向無線充電モードにあるときに、電子デバイスの無線充電が手動操作なしで自動的に実装されて、無線充電の信頼性およびユーザ体験を向上させることができるようにする。
【００１０】
実際の適用では、コストを考慮して、電子デバイスは通常、一組の充電装置、例えば、充電コイルを含む充電回路のみを備える。具体的には、充電装置は、同じ時点に、順方向無線充電モード（無線充電入力モードまたは受信モードとも呼ばれる。具体的には、充電装置が電子デバイスを充電する）または逆方向無線充電モード（無線充電出力モードまたは送信モードとも呼ばれる。具体的には、電子デバイスが、別の電子デバイスを充電するための電力供給者として機能する）でのみ動作することができる。
【００１１】
例えば、第１検出信号の送信周波数は第１送信周波数であり、第２検出信号の送信周波数は第２送信周波数である。ある考えられる設計方法では、第１送信周波数は第２送信周波数とは異なり、第１送信周波数は第２送信周波数の整数倍ではない。このように、無線充電デバイスが第２検出信号を送信するときに電子デバイスの充電装置がアイドル状態にある（第１検出信号を送信しない）事態が必ずある。従って、電子デバイスは、電子デバイスが第１検出信号を送信する時点の間のギャップ時点に、無線充電デバイスにより送信される第２検出信号を受信することができる。
【００１２】
ある考えられる設計方法では、事前設定条件は、電子デバイスにより受信される第２検出信号の電圧が第１電圧閾値より大きいこと、電子デバイスにより受信される第２検出信号の電流が第１電流閾値より大きいこと、または、電子デバイスにより受信される第２検出信号の電力が第１電力閾値より大きいことのうちの少なくとも１つを含み得る。
【００１３】
なお、第１電圧閾値、第１電流閾値、および第１電力閾値は、無線充電の実際の要件、例えば、バッテリ容量または充電電力に基づいて事前設定され得る。本願では詳細について説明しない。
【００１４】
事前設定条件を決定した結果の精度を向上させ、かつ、誤判定を回避するには、事前設定時間内に事前設定条件が満たされる最小回数を更に限定することができる。従って、別の考えられる設計方法では、事前設定条件は代替的に、事前設定時間内に電子デバイスにより受信される第２検出信号の電圧が第１電圧閾値より大きい回数が、第１回数閾値より大きいこと、事前設定時間内に電子デバイスにより受信される第２検出信号の電流が第１電流閾値より大きい回数が、第２回数閾値より大きいこと、または、事前設定時間内に電子デバイスにより受信される第２検出信号の電力が第１電力閾値より大きい回数が、第３回数閾値より大きいことのうちの少なくとも１つを含み得る。
【００１５】
なお、事前設定時間、第１回数閾値、第２回数閾値、および第３回数閾値は、無線充電の実際の要件、例えば、バッテリ容量または充電電力に基づいて事前設定され得る。本願では詳細について説明しない。
【００１６】
ある考えられる設計方法では、電子デバイスにより受信される第２検出信号が事前設定条件を満たしている場合は、無線充電方法は更に、電子デバイスが無線充電デバイスに応答信号を送信する段階と、それに対応して、無線充電デバイスが、電子デバイスにより送信される応答信号を受信する段階とを含み得る。応答信号は指示情報を保持し、指示情報は、電子デバイスにより受信される第２検出信号が事前設定条件を満たしていることを示すために使用される。
【００１７】
オプションで、電子デバイスにより送信される応答信号を無線充電デバイスが受信した後、無線充電デバイスは、電子デバイスの充電を開始することができる。例えば、無線充電方法は更に、無線充電デバイスが電子デバイスに充電信号を送信する段階と、電子デバイスが、無線充電デバイスにより送信される充電信号を受信する段階とを含み得る。
【００１８】
オプションで、充電信号の送信電力は第２検出信号の送信電力より大きい、および／または、充電信号の送信周波数は第２送信周波数より高い。
【００１９】
第２態様によれば、電子デバイスが提供される。電子デバイスは、送信モジュール、受信モジュール、および処理モジュールを含む。送信モジュールは、電子デバイスが逆方向無線充電モードにあるときに第１検出信号を送信するように構成される。受信モジュールは、第１検出信号が送信される少なくとも２つの隣接する時点の間のギャップ時点に、無線充電デバイスにより送信される第２検出信号を受信するように構成される。処理モジュールは、受信モジュールにより受信される第２検出信号が事前設定条件を満たしている場合に、電子デバイスを逆方向無線充電モードから順方向無線充電モードへ自動的に切り替えるように構成される。
【００２０】
例えば、第１検出信号の送信周波数は第１送信周波数であり、第２検出信号の送信周波数は第２送信周波数である。ある考えられる設計方法では、第１送信周波数は第２送信周波数とは異なり、第１送信周波数は第２送信周波数の整数倍ではない。
【００２１】
ある考えられる設計方法では、事前設定条件は、電子デバイスにより受信される第２検出信号の電圧が第１電圧閾値より大きいこと、電子デバイスにより受信される第２検出信号の電流が第１電流閾値より大きいこと、または、電子デバイスにより受信される第２検出信号の電力が第１電力閾値より大きいことのうちの少なくとも１つを含む。
【００２２】
別の考えられる設計方法では、事前設定条件は、事前設定時間内に電子デバイスにより受信される第２検出信号の電圧が第１電圧閾値より大きい回数が、第１回数閾値より大きいこと、事前設定時間内に電子デバイスにより受信される第２検出信号の電流が第１電流閾値より大きい回数が、第２回数閾値より大きいこと、または、事前設定時間内に電子デバイスにより受信される第２検出信号の電力が第１電力閾値より大きい回数が、第３回数閾値より大きいことのうちの少なくとも１つを含む。
【００２３】
ある考えられる設計方法では、送信モジュールは更に、無線充電デバイスに応答信号を送信するように構成される。応答信号は指示情報を保持し、指示情報は、電子デバイスにより受信される第２検出信号が事前設定条件を満たしていることを示すために使用される。
【００２４】
オプションで、受信モジュールは更に、送信モジュールが無線充電デバイスに応答信号を送信した後、無線充電デバイスにより送信される充電信号を受信するように構成される。オプションで、充電信号の送信電力は第２検出信号の送信電力より大きい、および／または、充電信号の送信周波数は第２送信周波数より高い。
【００２５】
第３態様によれば、チップが提供される。チップは、プロセッサおよび通信インタフェースを含む。プロセッサは、メモリ内に記憶されるコンピュータプログラムを読み取り、実行して、第１態様および第１態様の実装のいずれか１つに係る無線充電方法を実装するように構成される。
【００２６】
第４態様によれば、電子デバイスが提供される。電子デバイスは、プロセッサ、送受信器、およびメモリを含む。メモリは、１または複数のプログラムを記憶するように構成され、１または複数のプログラムは、コンピュータにより実行可能な命令を含み、プロセッサは、電子デバイスが実行されると、メモリ内に記憶されるコンピュータにより実行可能な命令を実行し、その結果、電子デバイスは、第１態様および第１態様の実装のいずれか１つに係る無線充電方法を実行するように送受信器を制御する。
【００２７】
第５態様によれば、コンピュータ可読記憶媒体が提供される。コンピュータ可読記憶媒体は、コンピュータ命令を記憶する。コンピュータ上でコンピュータ命令が実行されると、コンピュータプログラムは、請求項１から７のいずれか一項に記載の無線充電方法を実行することができる。
【００２８】
第６態様によれば、コンピュータプログラム製品が提供される。コンピュータプログラム製品は、コンピュータプログラムコードを含む。コンピュータ上でコンピュータプログラムコードが実行されると、コンピュータは、第１態様および第１態様の実装のいずれか１つに係る無線充電方法を実行することができる。
【００２９】
第７態様によれば、無線充電システムが提供される。無線充電システムは、無線充電デバイスと、第２態様および第２態様の実装のいずれか１つに係る電子デバイス、または、第４態様および第４態様の実装のいずれか１つに係る電子デバイスとを含む。
【００３０】
本願において、電子デバイス内のユニットおよびモジュールの名称がデバイスへの制限になることはない。実際の実装では、これらのユニットおよびモジュールは、当該ユニットモジュールの機能が本願の複数の実施形態のものと同様である限り、すなわち、当該ユニットおよびモジュールが本願の特許請求の範囲の保護範囲に含まれる限り、他の名称を有し得る。
【図面の簡単な説明】
【００３１】
【図１Ａ】本願のある実施形態に係る無線充電システムの概略構造図１である。
【００３２】
【図１Ｂ】本願のある実施形態に係る無線充電システムの概略構造図２である。
【００３３】
【図２Ａ】本願のある実施形態に係る電子デバイスのハードウェア構造の概略図である。
【００３４】
【図２Ｂ】本願のある実施形態に係る電子デバイスのソフトウェア構造の概略図である。
【００３５】
【図３】本願のある実施形態に係る無線充電方法の概略フローチャートである。
【００３６】
【図４】本願のある実施形態に係る、無線充電デバイスにより送信される第２検出信号と、電子デバイスにより送信される第１検出信号との間の時系列関係の概略図である。
【００３７】
【図５】本願のある実施形態に係る無線充電回路の概略構造図である。
【００３８】
【図６】本願のある実施形態に係る電子デバイスの概略構造図１である。
【００３９】
【図７】本願のある実施形態に係る電子デバイスの概略構造図２である。
【発明を実施するための形態】
【００４０】
以下では、添付の図面を参照しながら、本願の幾つかの実施形態で提供する無線充電方法および電子デバイスについて詳細に説明する。
【００４１】
本願の複数の実施形態で提供する無線充電方法は、図１Ａに示す無線充電システムに適用され得る。
【００４２】
図１Ａに示すように、無線充電システムは、第１電子デバイス１０１および無線充電デバイス１０２を含み得る。無線充電デバイス１０２は主に、第１電子デバイス１０１を無線で充電するように構成される。
【００４３】
例えば、無線充電ベースなどの無線充電デバイス１０２が、充電予定の第１電子デバイス１０１が無線充電デバイス１０２の充電盤上に置かれていることを検出すると、無線充電デバイス１０２は、第１電子デバイス１０１に充電信号を送信して、第１電子デバイス１０１を無線で充電する。
【００４４】
無線充電デバイス１０２は、検出信号を送信し、かつ、検出信号に対する応答信号を受信することにより、第１電子デバイス１０１を検出することができる。例えば、無線充電デバイス１０２は検出信号を送信する。無線充電デバイス１０２が、検出信号に応答して第１電子デバイス１０１により送信される応答信号を受信すると、無線充電デバイス１０２は、第１電子デバイス１０１が検出されたと判断することができる。次に、無線充電デバイス１０２は充電信号を送信して、第１電子デバイス１０１を無線で充電することができる。
【００４５】
検出信号は、無線充電ベースの送信コイルにより特定の時間間隔で定期的に送信されるかまたは特定の規則に従って定期的に送信され、かつ、充電を必要とする電子デバイスが近くに存在するかどうかを検出するために使用される、無線信号である。
【００４６】
それに対応して、応答信号は、第１電子デバイス１０１が検出信号を受信した後に第１電子デバイス１０１により無線充電デバイス１０２に送信される信号である。例えば、第１電子デバイス１０１により受信される検出信号の電流、電圧、または電力などの強度が事前設定強度閾値より大きい場合は、第１電子デバイス１０１および無線充電デバイス１０２が無線充電条件を満たしているとみなされる。例えば、第１電子デバイス１０１および無線充電デバイス１０２は「アライメント」状態にある。「アライメント」とは、第１電子デバイス１０１の受信コイルと無線充電デバイス１０２の送信コイルとの間の距離が事前設定距離より短いことを意味する。それに対応して、「ずれ」とは、第１電子デバイス１０１の受信コイルと無線充電デバイス１０２の送信コイルとの間の距離が事前設定距離より長いことを意味する。
【００４７】
図１Ａに示す無線充電システムでは、無線充電デバイス１０２は電力供給者であり、逆方向無線充電モード（無線充電送信モードまたは無線充電出力モードとも呼ばれる）で動作する。それに対応して、第１電子デバイス１０１は電力受信者であり、順方向無線充電モード（無線充電受信モードまたは無線充電入力モードとも呼ばれる）で動作する。
【００４８】
実際の適用では、第１電子デバイス１０１は代替的に、別の電子デバイスを無線で充電するための電力供給者として機能することができる。
【００４９】
図１Ｂは、本願のある実施形態に係る、第１電子デバイス１０１を適用できる無線充電システムのシナリオの別の概略図である。図１Ｂに示すように、第１電子デバイス１０１は、スマートウォッチなどの第２電子デバイス１０３を無線で充電するための電力供給者として機能する。
【００５０】
図１Ｂに示す無線充電システムでは、第１電子デバイス１０１は検出信号を送信するように構成され、第２電子デバイス１０３は、検出信号を受信し、かつ、検出信号に対する応答信号を送信するように構成され、第１電子デバイス１０１は、検出信号に応答して第２電子デバイス１０３により送信される応答信号を受信し、第１電子デバイス１０１は第２電子デバイス１０３に充電信号を送信し、第２電子デバイス１０３は、第１電子デバイス１０１により送信される充電信号を受信する。
【００５１】
例えば、第１電子デバイス１０１は、タブレットコンピュータ（Ｐａｄ）、ノートブックコンピュータ、スマートフォン、仮想現実（ｖｉｒｔｕａｌ  ｒｅａｌｉｔｙ、ＶＲ）デバイス、拡張現実（ａｕｇｍｅｎｔｅｄ  ｒｅａｌｉｔｙ、ＡＲ）デバイス、車載デバイス、またはインテリジェントウェアラブルデバイスなどの、無線充電機能および無線放電機能をサポートする電子デバイスであってよい。
【００５２】
なお、第１電子デバイス１０１は、図１Ａに示す無線充電シナリオにおいて順方向無線充電モードで動作し、図１Ｂに示す無線充電シナリオにおいて逆方向無線充電モードで動作する。図１Ａに示す無線充電シナリオと図１Ｂに示す無線充電シナリオとの間で第１電子デバイス１０１が切り替わると、通常は、第１電子デバイス１０１の無線充電モードを手動で切り替える必要があり、操作が比較的面倒である。逆方向無線充電モードにある第１電子デバイス１０１が無線充電デバイス１０２の充電盤上に置かれている場合でも、第１電子デバイス１０１は逆方向無線充電モードにあり、第１電子デバイス１０１は、無線充電デバイス１０２により送信される検出信号を受信しない。その結果、正常な無線充電接続を確立することができず、第１電子デバイス１０１を無線で充電することができない。
【００５３】
図２Ａは、電子デバイス１０１のハードウェア構造の概略図である。
【００５４】
電子デバイス１０１は、プロセッサ２１０、外部メモリインタフェース２２０、内部メモリ２２１、ユニバーサルシリアルバス（ｕｎｉｖｅｒｓａｌ  ｓｅｒｉａｌ  ｂｕｓ、ＵＳＢ）インタフェース２３０、充電管理モジュール２４０、電力管理モジュール２４１、バッテリ２４２、アンテナ１、アンテナ２、モバイル通信モジュール２５０、無線通信モジュール２６０、オーディオモジュール２７０、スピーカ２７０Ａ、受信器２７０Ｂ、マイク２７０Ｃ、ヘッドセットジャック２７０Ｄ、センサモジュール２８０、キー２９０、モータ２９１、インジケータ２９２、カメラ２９３、ディスプレイ２９４、および加入者識別モジュール（ｓｕｂｓｃｒｉｂｅｒ  ｉｄｅｎｔｉｆｉｃａｔｉｏｎ  ｍｏｄｕｌｅ、ＳＩＭ）カードインタフェース２９５などを含み得る。センサモジュール２８０は、圧力センサ２８０Ａ、ジャイロセンサ２８０Ｂ、気圧センサ２８０Ｃ、磁気センサ２８０Ｄ、加速度センサ２８０Ｅ、距離センサ２８０Ｆ、光学式近接センサ２８０Ｇ、指紋センサ２８０Ｈ、温度センサ２８０Ｊ、タッチセンサ２８０Ｋ、環境光センサ２８０Ｌ、および骨伝導センサ２８０Ｍなどを含み得る。
【００５５】
本願のこの実施形態に示す構造が電子デバイス１０１に対する特定の制限にはならないことが理解できる。本願の幾つかの他の実施形態では、電子デバイス１０１は、この図に示すものよりも多いまたは少ないコンポーネントを含むか、または幾つかのコンポーネントを組み合わせるか、または幾つかのコンポーネントを分割するか、または複数の異なるコンポーネント配置を有し得る。この図のコンポーネントは、ハードウェア、ソフトウェア、またはソフトウェアとハードウェアとの組み合わせを使用することにより実装され得る。
【００５６】
プロセッサ２１０は、１または複数の処理ユニットを含み得る。例えば、プロセッサ２１０は、アプリケーションプロセッサ（ａｐｐｌｉｃａｔｉｏｎ  ｐｒｏｃｅｓｓｏｒ、ＡＰ）、モデムプロセッサ、グラフィックス処理装置（ｇｒａｐｈｉｃｓ  ｐｒｏｃｅｓｓｉｎｇ  ｕｎｉｔ、ＧＰＵ）、画像信号プロセッサ（ｉｍａｇｅ  ｓｉｇｎａｌ  ｐｒｏｃｅｓｓｏｒ、ＩＳＰ）、コントローラ、メモリ、映像コーデック、デジタル信号プロセッサ（ｄｉｇｉｔａｌ  ｓｉｇｎａｌ  ｐｒｏｃｅｓｓｏｒ、ＤＳＰ）、ベースバンドプロセッサ、および／またはニューラルネットワーク処理ユニット（ｎｅｕｒａｌ−ｎｅｔｗｏｒｋ  ｐｒｏｃｅｓｓｉｎｇ  ｕｎｉｔ、ＮＰＵ）を含み得る。複数の異なる処理ユニットを独立したデバイスにしてもよいし、統合して１または複数のプロセッサにしてもよい。
【００５７】
コントローラは、命令動作コードおよび時系列信号に基づき動作制御信号を生成して、命令の読み取りおよび命令の実行の制御を完了することができる。
【００５８】
メモリは更にプロセッサ２１０内に配置されてよく、命令およびデータを記憶するように構成される。幾つかの実施形態では、プロセッサ２１０内のメモリはキャッシュメモリである。メモリは、プロセッサ２１０によりただ使用されるかまたは周期的に使用される、命令またはデータを記憶することができる。プロセッサ２１０が命令またはデータを再び使用する必要がある場合は、プロセッサ２１０は、命令またはデータをメモリから直接呼び出して、アクセスの繰り返しを回避し、プロセッサ２１０の待ち時間を短縮することができる。従って、システム効率が向上する。
【００５９】
幾つかの実施形態では、プロセッサ２１０は、１または複数のインタフェースを含み得る。インタフェースは、集積回路間（ｉｎｔｅｒ−ｉｎｔｅｇｒａｔｅｄ  ｃｉｒｃｕｉｔ、Ｉ２Ｃ）インタフェース、集積回路間サウンド（ｉｎｔｅｒ−ｉｎｔｅｇｒａｔｅｄ  ｃｉｒｃｕｉｔ  ｓｏｕｎｄ、Ｉ２Ｓ）インタフェース、パルス符号変調（ｐｕｌｓｅ  ｃｏｄｅ  ｍｏｄｕｌａｔｉｏｎ、ＰＣＭ）インタフェース、汎用非同期送受信器（ｕｎｉｖｅｒｓａｌ  ａｓｙｎｃｈｒｏｎｏｕｓ  ｒｅｃｅｉｖｅｒ／ｔｒａｎｓｍｉｔｔｅｒ、ＵＡＲＴ）インタフェース、モバイルインダストリプロセッサインタフェース（ｍｏｂｉｌｅ  ｉｎｄｕｓｔｒｙ  ｐｒｏｃｅｓｓｏｒ  ｉｎｔｅｒｆａｃｅ、ＭＩＰＩ）、汎用入出力（ｇｅｎｅｒａｌ−ｐｕｒｐｏｓｅ  ｉｎｐｕｔ／ｏｕｔｐｕｔ、ＧＰＩＯ）インタフェース、加入者識別モジュール（ｓｕｂｓｃｒｉｂｅｒ  ｉｄｅｎｔｉｔｙ  ｍｏｄｕｌｅ、ＳＩＭ）インタフェース、および／またはユニバーサルシリアルバス（ｕｎｉｖｅｒｓａｌ  ｓｅｒｉａｌ  ｂｕｓ、ＵＳＢ）インタフェースなどを含み得る。
【００６０】
Ｉ２Ｃインタフェースは双方向同期シリアルバスであり、シリアルデータライン（ｓｅｒｉａｌ  ｄａｔａ  ｌｉｎｅ、ＳＤＡ）およびディレイルクロックライン（ｄｅｒａｉｌ  ｃｌｏｃｋ  ｌｉｎｅ、ＳＣＬ）を含む。幾つかの実施形態では、プロセッサ２１０は複数のグループのＩ２Ｃバスを含み得る。プロセッサ２１０は、複数の異なるＩ２Ｃバスインタフェースを使用することにより、タッチセンサ２８０Ｋ、充電器、フラッシュ、およびカメラ２９３などに別個に結合され得る。例えば、プロセッサ２１０は、Ｉ２Ｃインタフェースを使用することによりタッチセンサ２８０Ｋに結合されてよく、その結果、プロセッサ２１０は、Ｉ２Ｃバスインタフェースを使用することによりタッチセンサ２８０Ｋと通信して、電子デバイス１０１のタッチ機能を実装する。
【００６１】
Ｉ２Ｓインタフェースはオーディオ通信に使用され得る。幾つかの実施形態では、プロセッサ２１０は複数のグループのＩ２Ｓバスを含み得る。プロセッサ２１０は、Ｉ２Ｓバスを使用することによりオーディオモジュール２７０に結合されて、プロセッサ２１０とオーディオモジュール２７０との間の通信を実装することができる。幾つかの実施形態では、オーディオモジュール２７０は、Ｉ２Ｓインタフェースを使用することにより無線通信モジュール２６０にオーディオ信号を転送して、Ｂｌｕｅｔｏｏｔｈヘッドセットを使用することにより電話に応答する機能を実装することができる。
【００６２】
ＰＣＭインタフェースはオーディオ通信に使用されてもよく、アナログ信号をサンプリング、量子化、および符号化する。幾つかの実施形態では、オーディオモジュール２７０は、ＰＣＭバスインタフェースを通じて無線通信モジュール２６０に結合され得る。幾つかの実施形態では、オーディオモジュール２７０は代替的に、ＰＣＭインタフェースを使用することにより無線通信モジュール２６０にオーディオ信号を転送して、Ｂｌｕｅｔｏｏｔｈヘッドセットを使用することにより電話に応答する機能を実装することができる。Ｉ２ＳインタフェースおよびＰＣＭインタフェースはどちらもオーディオ通信に使用され得る。
【００６３】
ＵＡＲＴインタフェースはユニバーサルシリアルデータバスであり、非同期通信に使用される。バスは双方向通信バスであってよい。バスは、送信予定のデータに対してシリアル通信と並列通信との間の変換を実行する。幾つかの実施形態では、ＵＡＲＴインタフェースは通常、プロセッサ２１０と無線通信モジュール２６０とを接続するように構成される。例えば、プロセッサ２１０は、ＵＡＲＴインタフェースを通じて無線通信モジュール２６０内のＢｌｕｅｔｏｏｔｈモジュールと通信して、Ｂｌｕｅｔｏｏｔｈ機能を実装する。幾つかの実施形態では、オーディオモジュール２７０は、ＵＡＲＴインタフェースを通じて無線通信モジュール２６０にオーディオ信号を転送して、Ｂｌｕｅｔｏｏｔｈヘッドセットを使用することにより音楽を再生する機能を実装することができる。
【００６４】
ＭＩＰＩは、プロセッサ２１０と、ディスプレイ２９４またはカメラ２９３などの周辺コンポーネントとを接続するように構成され得る。ＭＩＰＩは、カメラシリアルインタフェース（ｃａｍｅｒａ  ｓｅｒｉａｌ  ｉｎｔｅｒｆａｃｅ、ＣＳＩ）およびディスプレイシリアルインタフェース（ｄｉｓｐｌａｙ  ｓｅｒｉａｌ  ｉｎｔｅｒｆａｃｅ、ＤＳＩ）などを含む。幾つかの実施形態では、プロセッサ２１０はＣＳＩを通じてカメラ２９３と通信して、電子デバイス１０１の撮影機能を実装する。プロセッサ２１０はＤＳＩを通じてディスプレイ２９４と通信して、電子デバイス１０１の表示機能を実装する。
【００６５】
ＧＰＩＯインタフェースは、ソフトウェアを使用することにより構成され得る。ＧＰＩＯインタフェースは制御信号として構成されてもよいし、データ信号として構成されてもよい。幾つかの実施形態では、ＧＰＩＯインタフェースは、プロセッサ２１０と、カメラ２９３、ディスプレイ２９４、無線通信モジュール２６０、オーディオモジュール２７０、またはセンサモジュール２８０などとを接続するように構成され得る。ＧＰＩＯインタフェースは代替的に、Ｉ２Ｃインタフェース、Ｉ２Ｓインタフェース、ＵＡＲＴインタフェース、またはＭＩＰＩなどとして構成され得る。
【００６６】
ＵＳＢインタフェース２３０は、ＵＳＢ標準仕様に準拠するインタフェースであり、具体的には、ミニＵＳＢインタフェース、マイクロＵＳＢインタフェース、またはＵＳＢ  Ｔｙｐｅ−Ｃインタフェースなどであってよい。ＵＳＢインタフェース２３０は、充電器に接続されて電子デバイス１０１を充電するように構成されてもよいし、電子デバイス１０１と周辺デバイスとの間でデータ送信を実行するように構成されてもよいし、ヘッドセットに接続されて、ヘッドセットを使用することによりオーディオを再生するように構成されてもよい。インタフェースは代替的に、ＡＲデバイスなどの別の電子デバイスに接続されるように構成され得る。
【００６７】
本願のこの実施形態に示すモジュール間のインタフェース接続関係は単に説明のための例であり、電子デバイス１０１の構造に対する制限にはならないことが理解できる。本願の幾つかの他の実施形態では、電子デバイス１０１は代替的に、前述の実施形態のものとは異なるインタフェース接続方式を使用するか、または複数のインタフェース接続方式の組み合わせを使用することができる。
【００６８】
充電管理モジュール２４０は、充電器から充電入力を受け取るように構成される。充電器は、無線充電器または有線充電器であってよい。有線充電の幾つかの実施形態では、充電管理モジュール２４０は、ＵＳＢインタフェース２３０を使用することにより有線充電器から充電入力を受け取ることができる。無線充電の幾つかの実施形態では、充電管理モジュール２４０は、電子デバイス１０１の無線充電コイルを使用することにより無線充電入力を受け取ることができる。
【００６９】
例えば、本願のこの実施形態では、図１Ａにおける電子デバイス１０１の充電管理モジュール２４０は、電子デバイス１０１の無線充電コイルを使用することにより無線充電入力を受け取って、電子デバイス１０１を無線で充電することができる。
【００７０】
充電管理モジュール２４０は更に、バッテリ２４２を充電するとき、電力管理モジュール２４１を使用することにより電子デバイス１０１のプロセッサまたは画面などの別のコンポーネントに電力を供給できることが理解できる。
【００７１】
電力管理モジュール２４１は、バッテリ２４２と、充電管理モジュール２４０と、プロセッサ２１０とを接続するように構成される。電力管理モジュール２４１はバッテリ２４２および／または充電管理モジュール２４０から入力を受け取り、プロセッサ２１０、内部メモリ２２１、外部メモリ、ディスプレイ２９４、カメラ２９３、および無線通信モジュール２６０などに電力を供給する。電力管理モジュール２４１は更に、バッテリ容量、バッテリのサイクルカウント、およびバッテリの健康状態（漏電またはインピーダンス）などのパラメータを監視するように構成され得る。幾つかの他の実施形態では、電力管理モジュール２４１は代替的に、プロセッサ２１０内に配置され得る。幾つかの他の実施形態では、電力管理モジュール２４１および充電管理モジュール２４０は代替的に、同じデバイス内に配置され得る。
【００７２】
アンテナ１、アンテナ２、モバイル通信モジュール２５０、無線通信モジュール２６０、モデムプロセッサ、およびベースバンドプロセッサなどを使用することにより、電子デバイス１０１の無線通信機能が実装され得る。
【００７３】
アンテナ１およびアンテナ２は、電磁波信号を送信および受信するように構成される。電子デバイス１０１内の各アンテナは、単一の通信周波数帯域または複数の通信周波数帯域をカバーするように構成され得る。更には、複数の異なるアンテナを多重化して、アンテナの利用を改善することができる。例えば、アンテナ１は、無線ローカルエリアネットワーク内のダイバーシティアンテナとして多重化され得る。幾つかの他の実施形態では、アンテナは、調整スイッチと組み合わせて使用され得る。
【００７４】
モバイル通信モジュール２５０は、２Ｇ、３Ｇ、４Ｇ、または５Ｇなどを含み、かつ、電子デバイス１０１に適用される、無線通信の解決策を提供することができる。モバイル通信モジュール２５０は、少なくとも１つのフィルタ、スイッチ、電力増幅器、および低雑音増幅器（ｌｏｗ  ｎｏｉｓｅ  ａｍｐｌｉｆｉｅｒ、ＬＮＡ）などを含み得る。モバイル通信モジュール２５０は、アンテナ１を使用することにより電磁波を受信し、受信した電磁波に対してフィルタリングまたは増幅などの処理を実行し、電磁波を復調のためにモデムプロセッサへ転送することができる。モバイル通信モジュール２５０は更に、モデムプロセッサにより変調される信号を増幅し、当該信号を電磁波に変換してアンテナ１を使用することにより放射することができる。幾つかの実施形態では、モバイル通信モジュール２５０内の少なくとも幾つかの機能モジュールがプロセッサ２１０内に配置され得る。幾つかの実施形態では、モバイル通信モジュール２５０内の少なくとも幾つかの機能モジュールが、プロセッサ２１０内の少なくとも幾つかのモジュールとして同じデバイス内に配置され得る。
【００７５】
モデムプロセッサは変調器および復調器を含み得る。変調器は、送信予定の低周波ベースバンド信号を中高周波信号に変調するように構成される。復調器は、受信した電磁波信号を低周波ベースバンド信号に復調するように構成される。次に復調器は、復調で取得される低周波ベースバンド信号を処理のためにベースバンドプロセッサへ転送する。低周波ベースバンド信号は、ベースバンドプロセッサにより処理され、次に、アプリケーションプロセッサに転送される。アプリケーションプロセッサは、オーディオデバイス（スピーカ２７０Ａまたは受信器２７０Ｂなどに限定されない）を使用することにより音信号を出力するか、またはディスプレイ２９４を使用することにより画像または映像を表示する。幾つかの実施形態では、モデムプロセッサは独立したデバイスであってよい。幾つかの他の実施形態では、モデムプロセッサはプロセッサ２１０から独立していてよく、モバイル通信モジュール２５０または別の機能モジュールとして同じデバイス内に配置される。
【００７６】
無線通信モジュール２６０は、無線ローカルエリアネットワーク（ｗｉｒｅｌｅｓｓ  ｌｏｃａｌ  ａｒｅａ  ｎｅｔｗｏｒｋ、ＷＬＡＮ）（例えば、ワイヤレスフィデリティ（ｗｉｒｅｌｅｓｓ  ｆｉｄｅｌｉｔｙ、Ｗｉ−Ｆｉ）ネットワーク）、ブルートゥース（Ｂｌｕｅｔｏｏｔｈ、ＢＴ）、全球測位衛星システム（ｇｌｏｂａｌ  ｎａｖｉｇａｔｉｏｎ  ｓａｔｅｌｌｉｔｅ  ｓｙｓｔｅｍ、ＧＮＳＳ）、周波数変調（ｆｒｅｑｕｅｎｃｙ  ｍｏｄｕｌａｔｉｏｎ、ＦＭ）、近距離無線通信（ｎｅａｒ  ｆｉｅｌｄ  ｃｏｍｍｕｎｉｃａｔｉｏｎ、ＮＦＣ）技術、または赤外線（ｉｎｆｒａｒｅｄ、ＩＲ）技術などを含み、かつ、電子デバイス１０１に適用される、無線通信の解決策を提供することができる。無線通信モジュール２６０は、少なくとも１つの通信処理モジュールを統合する１または複数のデバイスであってよい。無線通信モジュール２６０は、アンテナ２を使用することにより電磁波を受信し、電磁波信号に対して周波数変調およびフィルタリング処理を実行し、処理した信号をプロセッサ２１０に送信する。無線通信モジュール２６０は更に、送信予定の信号をプロセッサ２１０から受信し、当該信号に対して周波数変調および増幅を実行し、当該信号を電磁波に変換してアンテナ２を使用することにより放射することができる。
【００７７】
幾つかの実施形態では、電子デバイス１０１内のアンテナ１およびモバイル通信モジュール２５０は結合され、電子デバイス１０１内のアンテナ２および無線通信モジュール２６０は結合され、その結果、電子デバイス１０１は、無線通信技術を使用することによりネットワークおよび別のデバイスと通信することができる。無線通信技術は、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）、汎用パケット無線サービス（ｇｅｎｅｒａｌ  ｐａｃｋｅｔ  ｒａｄｉｏ  ｓｅｒｖｉｃｅ、ＧＰＲＳ）、符号分割多元接続（ｃｏｄｅ  ｄｉｖｉｓｉｏｎ  ｍｕｌｔｉｐｌｅ  ａｃｃｅｓｓ、ＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）、時分割符号分割多元接続（ｔｉｍｅ−ｄｉｖｉｓｉｏｎ  ｃｏｄｅ  ｄｉｖｉｓｉｏｎ  ｍｕｌｔｉｐｌｅ  ａｃｃｅｓｓ、ＴＤ−ＳＣＤＭＡ）、ロングタームエボリューション（ｌｏｎｇ  ｔｅｒｍ  ｅｖｏｌｕｔｉｏｎ、ＬＴＥ）、ＢＴ、ＧＮＳＳ、ＷＬＡＮ、ＮＦＣ、ＦＭ、および／またはＩＲ技術などを含み得る。ＧＮＳＳは、グローバルポジショニングシステム（ｇｌｏｂａｌ  ｐｏｓｉｔｉｏｎｉｎｇ  ｓｙｓｔｅｍ、ＧＰＳ）、全球測位衛星システム（ｇｌｏｂａｌ  ｎａｖｉｇａｔｉｏｎ  ｓａｔｅｌｌｉｔｅ  ｓｙｓｔｅｍ、ＧＬＯＮＡＳＳ）、北斗衛星導航系統（ＢｅｉＤｏｕ  ｎａｖｉｇａｔｉｏｎ  ｓａｔｅｌｌｉｔｅ  ｓｙｓｔｅｍ、ＢＤＳ）、準天頂衛星システム（ｑｕａｓｉ−ｚｅｎｉｔｈ  ｓａｔｅｌｌｉｔｅ  ｓｙｓｔｅｍ、ＱＺＳＳ））、および／または静止衛星型衛星航法補強システム（ｓａｔｅｌｌｉｔｅ  ｂａｓｅｄ  ａｕｇｍｅｎｔａｔｉｏｎ  ｓｙｓｔｅｍ、ＳＢＡＳ）を含み得る。
【００７８】
電子デバイス１０１は、ＧＰＵ、ディスプレイ２９４、およびアプリケーションプロセッサなどを使用することにより表示機能を実装する。ＧＰＵは画像処理用のマイクロプロセッサであり、ディスプレイ２９４およびアプリケーションプロセッサに接続される。ＧＰＵは、数学的かつ幾何学的な計算を実行するように構成され、画像をレンダリングするように構成される。プロセッサ２１０は、表示情報を生成または変更するためのプログラム命令を実行する１または複数のＧＰＵを含み得る。
【００７９】
ディスプレイ２９４は、画像および映像などを表示するように構成される。ディスプレイ２９４は表示パネルを含む。表示パネルは、液晶ディスプレイ（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、アクティブマトリクス式有機発光ダイオードもしくはアクティブマトリクス式有機発光ダイオード（ａｃｔｉｖｅ−ｍａｔｒｉｘ  ｏｒｇａｎｉｃ  ｌｉｇｈｔ  ｅｍｉｔｔｉｎｇ  ｄｉｏｄｅ、ＡＭＯＬＥＤ）、フレキシブル発光ダイオード（ｆｌｅｘ  ｌｉｇｈｔ−ｅｍｉｔｔｉｎｇ  ｄｉｏｄｅ、ＦＬＥＤ）、ミニＬＥＤ、マイクロＬＥＤ、マイクロＯＬＥＤ、または量子ドット発光ダイオード（ｑｕａｎｔｕｍ  ｄｏｔ  ｌｉｇｈｔ  ｅｍｉｔｔｉｎｇ  ｄｉｏｄｅ、ＱＬＥＤ）などを使用することができる。幾つかの実施形態では、電子デバイス１０１は１またはＮ個のディスプレイ２９４を含み得る。ここで、Ｎは１より大きな正の整数である。
【００８０】
電子デバイス１０１は、ＩＳＰ、カメラ２９３、映像コーデック、ＧＰＵ、ディスプレイ２９４、およびアプリケーションプロセッサなどを使用することにより撮影機能を実装することができる。
【００８１】
ＩＳＰは、カメラ２９３によりフィードバックされるデータを処理するように構成される。例えば、撮影中、シャッタが開かれ、光線がレンズを通してカメラの感光素子に透過され、光信号が電気信号に変換され、カメラの感光素子は電気信号を処理のためにＩＳＰへ送信し、電気信号は見ることのできる画像に変換される。ＩＳＰは更に、画像のノイズ、明るさ、および肌色のアルゴリズムを最適化することができる。ＩＳＰは更に、撮影シナリオの露出および色温度などのパラメータを最適化することができる。幾つかの実施形態では、ＩＳＰはカメラ２９３内に配置され得る。
【００８２】
カメラ２９３は、静止画像または映像をキャプチャするように構成される。物体の光学画像が、レンズを使用することにより生成され、感光素子に投影される。感光素子は、電荷結合素子（ｃｈａｒｇｅ  ｃｏｕｐｌｅｄ  ｄｅｖｉｃｅ、ＣＣＤ）または相補型金属酸化物半導体（ｃｏｍｐｌｅｍｅｎｔａｒｙ  ｍｅｔａｌ−ｏｘｉｄｅ−ｓｅｍｉｃｏｎｄｕｃｔｏｒ、ＣＭＯＳ）光電トランジスタであってよい。感光素子は光信号を電気信号に変換し、次に、ＩＳＰに電気信号を送信して、電気信号をデジタル画像信号に変換する。ＩＳＰは、デジタル画像信号を処理のためにＤＳＰへ出力する。ＤＳＰは、デジタル画像信号をＲＧＢまたはＹＵＶなどの形式の標準画像信号に変換する。幾つかの実施形態では、電子デバイス１０１は１またはＮ個のカメラ２９３を含み得る。ここで、Ｎは１より大きな正の整数である。
【００８３】
デジタル信号プロセッサは、デジタル信号を処理するように構成される。デジタル信号プロセッサは更に、デジタル画像信号に加えて、別のデジタル信号を処理することができる。例えば、電子デバイス１０１が周波数を選択するとき、デジタル信号プロセッサは、周波数エネルギーなどに対してフーリエ変換を実行するように構成される。
【００８４】
映像コーデックは、デジタル映像を圧縮または解凍するように構成される。電子デバイス１０１は、１または複数の映像コーデックをサポートすることができる。このように、電子デバイス１０１は、複数の符号化形式、例えば、動画専門家集団（ｍｏｖｉｎｇ  ｐｉｃｔｕｒｅ  ｅｘｐｅｒｔｓ  ｇｒｏｕｐ、ＭＰＥＧ）−１、ＭＰＥＧ−２、ＭＰＥＧ−３、およびＭＰＥＧ−４で映像を再生または記録することができる。
【００８５】
ＮＰＵは、生物学的ニューラルネットワークの構造を参照することにより、例えば、人の脳神経細胞間の伝達モードを参照することにより、入力情報を迅速に処理するニューラルネットワーク（ｎｅｕｒａｌ−ｎｅｔｗｏｒｋ、ＮＮ）コンピューティングプロセッサであり、更には、自己学習を継続的に実行することができる。ＮＰＵは、電子デバイス１０１のインテリジェント認識、例えば、画像認識、顔認識、発話認識、およびテキスト理解などのアプリケーションを実装することができる。
【００８６】
外部メモリインタフェース２２０は、マイクロＳＤカードなどの外部記憶カードに接続されて、電子デバイス１０１の記憶能力を拡張するように構成され得る。外部記憶カードは、外部メモリインタフェース２２０を使用することによりプロセッサ２１０と通信して、データ記憶機能を実装する、例えば、外部記憶カード内に音楽および映像などのファイルを記憶する。
【００８７】
内部メモリ２２１は、コンピュータにより実行可能なプログラムコードを記憶するように構成されてよく、コンピュータにより実行可能なプログラムコードは命令を含む。プロセッサ２１０は、内部メモリ２２１内に記憶される命令を実行することにより電子デバイス１０１の様々な機能アプリケーションおよびデータ処理を実行する。内部メモリ２２１は、プログラム記憶領域およびデータ記憶領域を含み得る。プログラム記憶領域は、オペレーティングシステム、および、少なくとも１つの機能（例えば、音再生機能または画像再生機能）により必要とされるアプリケーションプログラムなどを記憶することができる。データ記憶領域は、電子デバイス１０１の使用中に作成されるデータ（例えば、オーディオデータまたはアドレス帳）などを記憶することができる。また、内部メモリ２２１は高速ランダムアクセスメモリを含んでよく、更には、不揮発性メモリ、例えば、少なくとも１つの磁気ディスク記憶デバイス、フラッシュメモリデバイス、またはユニバーサルフラッシュストレージ（ｕｎｉｖｅｒｓａｌ  ｆｌａｓｈ  ｓｔｏｒａｇｅ、ＵＦＳ）を含んでよい。
【００８８】
電子デバイス１０１は、オーディオモジュール２７０、スピーカ２７０Ａ、受信器２７０Ｂ、マイク２７０Ｃ、ヘッドセットジャック２７０Ｄ、およびアプリケーションプロセッサなどを使用することにより、音楽の再生または記録などのオーディオ機能を実装することができる。
【００８９】
オーディオモジュール２７０は、デジタルオーディオ情報を出力のためにアナログオーディオ信号に変換するように構成され、アナログオーディオ入力をデジタルオーディオ信号に変換するようにも構成される。オーディオモジュール２７０は更に、オーディオ信号を符号化および復号するように構成され得る。幾つかの実施形態では、オーディオモジュール２７０はプロセッサ２１０内に配置されてよい、または、オーディオモジュール２７０内の幾つかの機能モジュールがプロセッサ２１０内に配置される。
【００９０】
スピーカ２７０Ａは「スピーカ」とも呼ばれ、オーディオ電気信号を音信号に変換するように構成される。電子デバイス１０１は、スピーカ２７０Ａを使用することにより、音楽を聴くかまたはハンズフリー通話に応答することができる。
【００９１】
受信器２７０Ｂは「受信器」とも呼ばれ、オーディオ電気信号を音信号に変換するように構成される。電子デバイス１０１が電話に応答するかまたは音声情報を受信すると、受信器２７０Ｂは、音声を聴くために人の耳の近くに置かれ得る。
【００９２】
マイク２７０Ｃは「マイク」または「マイク」とも呼ばれ、音信号を電気信号に変換するように構成される。ユーザは、電話をかけるかまたは音声情報を送信するとき、人の口をマイク２７０Ｃの近くに動かして音信号をマイク２７０Ｃに入力することにより音を立てることができる。少なくとも１つのマイク２７０Ｃを電子デバイス１０１内に配置することができる。幾つかの他の実施形態では、２つのマイク２７０Ｃを電子デバイス１０１内に配置して、音信号を収集し、更には、ノイズ低減機能を実装することができる。幾つかの他の実施形態では、代替的に３つ、４つ、またはそれより多くのマイク２７０Ｃを電子デバイス１０１内に配置して、音信号の収集、ノイズの低減、音源の識別、および指向性記録機能の実装などを行うことができる。
【００９３】
ヘッドセットジャック２７０Ｄは、有線ヘッドセットに接続されるように構成される。ヘッドセットジャック２７０ＤはＵＳＢインタフェース２３０であってもよいし、３．５ｍｍのオープンモバイル電子デバイスプラットフォーム（ｏｐｅｎ  ｍｏｂｉｌｅ  ｔｅｒｍｉｎａｌ  ｐｌａｔｆｏｒｍ、ＯＭＴＰ）標準インタフェースまたは米国セルラ通信工業会（ｃｅｌｌｕｌａｒ  ｔｅｌｅｃｏｍｍｕｎｉｃａｔｉｏｎｓ  ｉｎｄｕｓｔｒｙ  ａｓｓｏｃｉａｔｉｏｎ  ｏｆ  ｔｈｅ  ＵＳＡ、ＣＴＩＡ）標準インタフェースであってもよい。
【００９４】
圧力センサ２８０Ａは、圧力信号を感知するように構成され、圧力信号を電気信号に変換することができる。幾つかの実施形態では、圧力センサ２８０Ａはディスプレイ２９４上に配置され得る。抵抗性圧力センサ、誘導性圧力センサ、および静電容量型圧力センサなど、多くの種類の圧力センサ２８０Ａがある。静電容量型圧力センサは、少なくとも２つの伝導性材料を含む平行板であってよい。圧力センサ２８０Ａに力が加えられると、電極間の静電容量が変化する。電子デバイス１０１は、静電容量の変化に基づいて圧力の強さを決定する。ディスプレイ２９４上でタッチ操作が実行されると、電子デバイス１０１は、圧力センサ２８０Ａに基づいてタッチ操作の強さを検出する。電子デバイス１０１は、圧力センサ２８０Ａの検出信号に基づいてタッチ位置を計算することもできる。幾つかの実施形態では、同じタッチ位置に適用されるが異なるタッチ操作の強さを有するタッチ操作が複数の異なる操作命令に対応し得る。例えば、タッチ操作の強さが第１圧力閾値より小さいタッチ操作がＳＭＳメッセージアプリケーションアイコン上で実行されると、ＳＭＳメッセージを表示するための命令が実行される。タッチ操作の強さが第１圧力閾値より大きいか等しいタッチ操作がＳＭＳメッセージアプリケーションアイコン上で実行されると、ＳＭＳメッセージを作成するための命令が実行される。
【００９５】
ジャイロセンサ２８０Ｂは、電子デバイス１０１の動作姿勢を決定するように構成され得る。幾つかの実施形態では、ジャイロセンサ２８０Ｂを使用することにより、３つの軸（すなわち、Ｘ軸、Ｙ軸、およびＺ軸）の周りの電子デバイス１０１の角速度が決定され得る。ジャイロセンサ２８０Ｂは、撮影中の手ぶれ補正に使用され得る。例えば、シャッタが開かれると、ジャイロセンサ２８０Ｂは、電子デバイス１０１がジッタする角度を検出し、当該角度に基づく計算を通じて、レンズモジュールが補償する必要のある距離を取得し、レンズが逆方向の動きで電子デバイス１０１のジッタを相殺して手ぶれ補正を実装できるようにする。ジャイロセンサ２８０Ｂは、ナビゲーションおよび体感ゲームのシナリオで使用されてもよい。
【００９６】
気圧センサ２８０Ｃは、大気圧を測定するように構成される。幾つかの実施形態では、電子デバイス１０１は、気圧センサ２８０Ｃにより測定される大気圧の値を使用することにより高度を計算して、位置決めおよびナビゲーションを支援する。
【００９７】
磁気センサ２８０Ｄはホールセンサを含む。電子デバイス１０１は、磁気センサ２８０Ｄを使用することによりフリップレザーケースの開閉を検出することができる。幾つかの実施形態では、電子デバイス１０１が折り畳み式携帯電話である場合、電子デバイス１０１は、磁気センサ２８０Ｄに基づいてフリップカバーの開閉を検出することができる。更には、検出されるレザーケースの開閉状態、または、検出されるフリップカバーの開閉状態に基づいてフリップカバーの自動ロック解除などの機能が設定される。
【００９８】
加速度センサ２８０Ｅは、全ての方向（通常は３つの軸上）における電子デバイス１０１の加速度の大きさを検出することができ、電子デバイス１０１が静止しているときに、重力の大きさおよび方向を検出することができ、更には、電子デバイスの姿勢を認識するように構成され、かつ、横向きモードと縦向きモードとの間の切り替えなどのアプリケーション、または歩数計に適用され得る。
【００９９】
距離センサ２８０Ｆは、距離を測定するように構成される。電子デバイス１０１は、赤外線またはレーザで距離を測定することができる。幾つかの実施形態では、撮影シナリオにおいて、電子デバイス１０１は、距離センサ２８０Ｆを使用することにより測距を実行して、高速なピント合わせを実装することができる。
【０１００】
例えば、光学式近接センサ２８０Ｇは、発光ダイオード（ＬＥＤ）および光学検出器、例えば、フォトダイオードを含み得る。発光ダイオードは赤外線発光ダイオードであってよい。電子デバイス１０１は、発光ダイオードを使用することにより赤外光を放射する。電子デバイス１０１は、フォトダイオードを使用することにより近くの物体から赤外反射光を検出する。電子デバイス１０１は、十分な反射光を検出すると、電子デバイス１０１の近くに物体があると判断することができる。電子デバイス１０１は、不十分な反射光を検出すると、電子デバイス１０１の近くに物体がないと判断することができる。電子デバイス１０１は、光学式近接センサ２８０Ｇを使用することにより、ユーザが電子デバイス１０１を耳の近くで握って電話をかけていることを検出して、画面を自動的にオフにし、電力を節約することができる。光学式近接センサ２８０Ｇは、画面を自動的にロック解除またはロックするために、レザーケースモードまたはポケットモードで使用されてもよい。
【０１０１】
環境光センサ２８０Ｌは、環境光の輝度を感知するように構成される。電子デバイス１０１は、感知される環境光の輝度に基づいて、ディスプレイ２９４の輝度を適応的に調節することができる。環境光センサ２８０Ｌは、撮影中のホワイトバランスを自動的に調節するように構成されてもよい。環境光センサ２８０Ｌは、光学式近接センサ２８０Ｇと協働することで、電子デバイス１０１がポケット内にあるかどうかを検出して、偶発的なタッチを防止することもできる。
【０１０２】
指紋センサ２８０Ｈは、指紋を収集するように構成される。電子デバイス１０１は、収集される指紋の特徴を使用して、指紋ベースのロック解除、アプリケーションロックへのアクセス、指紋ベースの撮影、および指紋ベースの電話応答などを実装することができる。
【０１０３】
温度センサ２８０Ｊは、温度を検出するように構成される。幾つかの実施形態では、電子デバイス１０１は、温度センサ２８０Ｊにより検出される温度を使用することにより温度処理ポリシを実行する。例えば、温度センサ２８０Ｊにより報告される温度が閾値を超えている場合は、電子デバイス１０１は、温度センサ２８０Ｊの近くに位置するプロセッサの性能を低下させることで、消費電力を削減して熱保護を実装する。幾つかの他の実施形態では、温度が別の閾値より小さい場合、電子デバイス１０１はバッテリ２４２を加熱して、電子デバイス１０１が低温のために異常にシャットダウンされる事態を回避する。幾つかの他の実施形態では、温度が更に別の閾値より小さい場合、電子デバイス１０１はバッテリ２４２の出力電圧をブーストして、低温により引き起こされる異常なシャットダウンを回避する。
【０１０４】
タッチセンサ２８０Ｋは「タッチパネル」とも呼ばれる。タッチセンサ２８０Ｋはディスプレイ２９４上に配置され得る。タッチセンサ２８０Ｋおよびディスプレイ２９４は、「タッチスクリーン」とも呼ばれるタッチスクリーンを形成する。タッチセンサ２８０Ｋは、タッチセンサ２８０Ｋの上または近くで実行されるタッチ操作を検出するように構成される。タッチセンサは、検出したタッチ操作をアプリケーションプロセッサに転送して、タッチイベントの種類を決定することができる。ディスプレイ２９４を使用することにより、タッチ操作に関連する視覚的な出力が提供され得る。幾つかの他の実施形態では、タッチセンサ２８０Ｋは、ディスプレイ２９４の位置とは異なる位置の、電子デバイス１０１の表面上に配置されてもよい。
【０１０５】
骨伝導センサ２８０Ｍは、振動信号を取得することができる。幾つかの実施形態では、骨伝導センサ２８０Ｍは、人の発声部位の振動骨の振動信号を取得することができる。骨伝導センサ２８０Ｍは、体の脈拍に接触して、血圧鼓動信号を受信することもできる。幾つかの実施形態では、骨伝導センサ２８０Ｍはヘッドセット内に配置されて、骨伝導ヘッドセットに組み合わされてもよい。オーディオモジュール２７０は、骨伝導センサ２８０Ｍにより取得される、発声部位の振動骨の振動信号に基づく解析により音声信号を取得して、音声機能を実装することができる。アプリケーションプロセッサは、骨伝導センサ２８０Ｍにより取得される血圧鼓動信号に基づいて心拍数情報を解析して、心拍数検出機能を実装することができる。
【０１０６】
キー２９０は電源キーおよび音量キーなどを含む。キー２９０はメカニカルキーであってもよいし、タッチキーであってもよい。電子デバイス１０１はキー入力を受け取り、電子デバイス１０１のユーザ設定および機能制御に関連するキー信号入力を生成することができる。
【０１０７】
モータ２９１は振動プロンプトを生成することができる。モータ２９１は着信振動プロンプトに使用されてもよいし、タッチ振動フィードバックに使用されてもよい。例えば、異なるアプリケーション（例えば、撮影およびオーディオ再生）上で実行されるタッチ操作が、異なる振動フィードバック効果に対応することができる。モータ２９１は、ディスプレイ２９４の異なる領域上で実行されるタッチ操作に対して、異なる振動フィードバック効果に対応することもできる。異なるアプリケーションシナリオ（例えば、時間リマインダ、情報受信、目覚まし時計、およびゲーム）が、異なる振動フィードバック効果に対応することもできる。タッチ振動フィードバック効果のカスタマイズが更にサポートされ得る。
【０１０８】
インジケータ２９２は、充電状態および電力変化を示すように構成され得るか、またはメッセージ、不在着信、および通知などを示すように構成され得る、インジケータライトであってよい。
【０１０９】
ＳＩＭカードインタフェース２９５は、ＳＩＭカードに接続されるように構成される。ＳＩＭカードはＳＩＭカードインタフェース２９５に挿入されるか、またはＳＩＭカードインタフェース２９５から引き抜かれて、電子デバイス１０１と接触するか、または電子デバイス１０１から分離され得る。電子デバイス１０１は、１またはＮ個のＳＩＭカードインタフェースをサポートすることができる。ここで、Ｎは１より大きな正の整数である。ＳＩＭカードインタフェース２９５は、ナノＳＩＭカード、マイクロＳＩＭカード、およびＳＩＭカードなどをサポートすることができる。複数のカードが同じＳＩＭカードインタフェース２９５に同時に挿入され得る。これら複数のカードは同じ種類または異なる種類であってよい。ＳＩＭカードインタフェース２９５は、異なる種類のＳＩＭカードと互換性があってもよい。ＳＩＭカードインタフェース２９５は、外部記憶カードと互換性があってもよい。電子デバイス１０１は、ＳＩＭカードを使用することによりネットワークとやり取りして、通話機能およびデータ通信機能などを実装する。幾つかの実施形態では、電子デバイス１０１は、ｅＳＩＭ、すなわち、埋め込みＳＩＭカードを使用する。ｅＳＩＭカードは電子デバイス１０１に埋め込まれてよく、電子デバイス１０１から分離することができない。
【０１１０】
電子デバイス１０１のソフトウェアシステムは、階層アーキテクチャ、イベント駆動型アーキテクチャ、マイクロカーネルアーキテクチャ、マイクロサービスアーキテクチャ、またはクラウドアーキテクチャを使用することができる。本願のこの実施形態では、階層アーキテクチャを有するＡｎｄｒｏｉｄシステムが、電子デバイス１０１のソフトウェア構造を説明するための例として使用される。
【０１１１】
図２Ｂは、本願のある実施形態に係る電子デバイス１０１のソフトウェア構造の概略図である。
【０１１２】
階層アーキテクチャでは、ソフトウェアが幾つかの層に分割され、各層に明瞭な役割およびタスクがある。これらの層は、ソフトウェアインタフェースを使用することにより互いに通信する。幾つかの実施形態では、Ａｎｄｒｏｉｄシステムは４つの層、すなわち、上から下へ、アプリケーションプログラム層、アプリケーションプログラムフレームワーク層、Ａｎｄｒｏｉｄランタイム（Ａｎｄｒｏｉｄ  ｒｕｎｔｉｍｅ）およびシステムライブラリ、並びにカーネル層に分割される。
【０１１３】
アプリケーションプログラム層は、一連のアプリケーションプログラムパッケージを含み得る。
【０１１４】
図２Ｂに示すように、アプリケーションプログラムパッケージは、カメラ、ギャラリ、カレンダ、電話、地図、ナビゲーション、ＷＬＡＮ、Ｂｌｕｅｔｏｏｔｈ、音楽、映像、およびメッセージングなどのアプリケーションプログラムを含み得る。
【０１１５】
アプリケーションプログラムフレームワーク層は、アプリケーションプログラム層のアプリケーションプログラム用のプログラミングフレームワークおよびアプリケーションプログラミングインタフェース（ａｐｐｌｉｃａｔｉｏｎ  ｐｒｏｇｒａｍｍｉｎｇ  ｉｎｔｅｒｆａｃｅ、ＡＰＩ）を提供する。アプリケーションプログラムフレームワーク層は幾つかの事前定義された機能を含む。
【０１１６】
図２Ｂに示すように、アプリケーションプログラムフレームワーク層は、ウィンドウマネージャ、コンテンツプロバイダ、ビューシステム、電話マネージャ、リソースマネージャ、および通知マネージャなどを含み得る。
【０１１７】
ウィンドウマネージャは、ウィンドウプログラムを管理するように構成される。ウィンドウマネージャは、表示サイズの取得、ステータスバーがあるかどうかの判断、画面のロック、およびスクリーンショットの撮影などを行うことができる。
【０１１８】
コンテンツプロバイダは、データを記憶および取得し、かつ、アプリケーションプログラムによる当該データへのアクセスを可能にするように構成される。データは、映像、画像、オーディオ、発信および応答される電話、閲覧履歴およびブックマーク、並びにアドレス帳などを含み得る。
【０１１９】
ビューシステムは、テキストを表示するためのコントロール、およびピクチャを表示するためのコントロールなどの視覚的なコントロールを含む。ビューシステムは、アプリケーションプログラムを構築するように構成され得る。表示インタフェースは、１または複数のビューを含み得る。例えば、ＳＭＳメッセージ通知アイコンを含む表示インタフェースが、テキストを表示するためのビューと、ピクチャを表示するためのビューとを含み得る。
【０１２０】
電話マネージャは、電子デバイス１０１の通信機能、例えば、通話状況（応答または拒否を含む）の管理を提供するように構成される。
【０１２１】
リソースマネージャは、ローカライズされた文字列、アイコン、ピクチャ、レイアウトファイル、および映像ファイルなどの様々なリソースをアプリケーションプログラムに提供する。
【０１２２】
通知マネージャは、アプリケーションプログラムがステータスバーに通知情報を表示できるようにし、通知型メッセージを伝達するように構成され得る。通知型メッセージは、ユーザインタラクションなしで短い休止の後に自動的に消えることができる。例えば、通知マネージャは、ダウンロードの完了およびメッセージプロンプトなどの通知を提供するように構成される。通知マネージャは、グラフまたはスクロールバーテキストの形態でシステムの上部ステータスバー上に表示される通知、例えば、バックグラウンド上で実行されているアプリケーションプログラムの通知であってもよいし、ダイアログウィンドウの形態で画面上に表示される通知であってもよい。例えば、テキスト情報がステータスバーに提示されるか、アナウンスが生成されるか、電子デバイスが振動するか、またはインジケータライトが点滅する。
【０１２３】
Ａｎｄｒｏｉｄランタイムは、カーネルライブラリおよび仮想マシンを含む。Ａｎｄｒｏｉｄランタイムは、Ａｎｄｒｏｉｄシステムのスケジューリングおよび管理を担う。
【０１２４】
カーネルライブラリは、２つの部分、すなわち、Ｊａｖａ言語で呼び出す必要のある関数と、Ａｎｄｒｏｉｄのカーネルライブラリとを含む。
【０１２５】
アプリケーションプログラム層およびアプリケーションプログラムフレームワーク層は、仮想マシン上で実行される。仮想マシンは、アプリケーションプログラム層およびアプリケーションプログラムフレームワーク層のＪａｖａファイルをバイナリファイルとして実行する。仮想マシンは、オブジェクトのライフサイクル管理、スタック管理、スレッド管理、セキュリティおよび例外の管理、およびガーベージコレクションなどの機能を実行するように構成される。
【０１２６】
システムライブラリは、複数の機能モジュール、例えば、サーフェースマネージャ（ｓｕｒｆａｃｅ  ｍａｎａｇｅｒ）、メディアライブラリ（Ｍｅｄｉａ  Ｌｉｂｒａｒｙ）、３次元グラフィックス処理ライブラリ（例えば、ＯｐｅｎＧＬ  ＥＳ）、および２Ｄグラフィックスエンジン（例えば、ＳＧＬ）を含み得る。
【０１２７】
サーフェースマネージャは、表示サブシステムを管理し、かつ、複数のアプリケーションプログラムに２Ｄ層および３Ｄ層の融合を提供するように構成される。
【０１２８】
メディアライブラリは、一般的に使用されている複数のオーディオ形式および映像形式、並びに静止画像ファイルなどでのプレイバックおよび記録をサポートする。メディアライブラリは、複数のオーディオ符号化形式および映像符号化形式、例えば、ＭＰＥＧ−４、Ｈ．２６４、ＭＰ３、ＡＡＣ、ＡＭＲ、ＪＰＧ、およびＰＮＧをサポートすることができる。
【０１２９】
３次元グラフィックス処理ライブラリは、３次元グラフィックス描画、画像レンダリング、合成、および層処理などを実装するように構成される。
【０１３０】
２Ｄグラフィックスエンジンは、２Ｄ描画用の描画エンジンである。
【０１３１】
カーネル層は、ハードウェアとソフトウェアとの間の層である。カーネル層は、少なくともディスプレイドライバ、カメラドライバ、オーディオドライバ、およびセンサドライバを含む。
【０１３２】
以下では、撮影キャプチャシナリオを参照しながら、例を使用することにより電子デバイス１０１のソフトウェアおよびハードウェアの動作プロセスについて説明する。
【０１３３】
タッチセンサ２８０Ｋがタッチ操作を受信すると、対応するハードウェア割り込みがカーネル層に送信される。カーネル層は、タッチ操作を処理して生の入力イベント（タッチ座標、またはタッチ操作のタイムスタンプなどの情報を含む）にする。生の入力イベントはカーネル層に記憶される。アプリケーションプログラムフレームワーク層はカーネル層から生の入力イベントを取得し、入力イベントに対応するコントロールを識別する。例えば、タッチ操作はタッチタップ操作であり、タップ操作に対応するコントロールがカメラアプリケーションアイコンのコントロールである。カメラアプリケーションは、アプリケーションプログラムフレームワーク層でインタフェースを呼び出してカメラアプリケーションを有効にし、次に、カーネル層を呼び出すことによりカメラドライバを有効にし、カメラ２９３を使用することにより静止画像または映像をキャプチャする。
【０１３４】
以下では、添付の図面を参照しながら、本願の幾つかの実施形態で提供する無線充電方法および電子デバイスについて説明する。
【０１３５】
図３は、本願のある実施形態に係る無線充電方法の概略フローチャートである。図３に示すように、無線充電方法は段階Ｓ３０１からＳ３０３を含む。
【０１３６】
Ｓ３０１：電子デバイスが逆方向無線充電モードにあるときに、電子デバイスが第１検出信号を送信する。
【０１３７】
電子デバイスは、図１Ａおよび図１Ｂに示す第１電子デバイス１０１である。
【０１３８】
実際の適用では、電子デバイスは、無線充電コイルを有する無線充電回路を含む。図２Ａに示すように、無線充電回路は、充電管理モジュール［２４０］、電力管理モジュール［２４１］、および無線充電器を含み得る。無線充電器は通常、第１検出信号を送信し、かつ、第１検出信号に対する応答信号を受信するための、無線充電コイルを含む。無線充電回路が逆方向無線充電モードで動作するということは、電子デバイスが別の電子デバイスを無線で充電しようとしていることを意味する。
【０１３９】
第１検出信号は、逆方向無線充電モードにある電子デバイス、例えば、図１Ｂの電子デバイス１０１により、図１Ｂにおけるスマートウォッチなどの別の電子デバイスが無線充電条件を満たしているかどうかを検出するために使用される。スマートウォッチにより受信される第１検出信号の強度が事前設定強度閾値より大きい場合は、スマートウォッチは第１検出信号に対する第１応答信号を送信する。電子デバイスは、第１応答信号を受信した後、第１検出信号の送信を停止し、スマートウォッチに充電信号を送信して、スマートウォッチを無線で充電する。
【０１４０】
なお、電力を節約するために、電力供給者により送信される検出信号の送信電力は通常、電力供給者により送信される充電信号の送信電力より小さく、電力供給者により送信される検出信号の送信周波数は通常、電力供給者により送信される充電信号の送信周波数より低い。
【０１４１】
電子デバイスが逆方向無線充電モードにある場合、例えば、電子デバイスが逆方向無線充電モードに手動で設定されている場合にのみ、電子デバイスがスマートウォッチなどの別の電子デバイスを無線で充電することは容易に解る。
【０１４２】
もちろん、電子デバイスが常に第１検出信号を送信して電力の浪費を回避するとは限らない。例えば、Ｑｉ規格では、無線充電デバイスが５００ミリ秒（ｍｉｌｌｉｓｅｃｏｎｄ、ｍｓ）ごとに検出信号を送信することが規定されている。毎回検出信号を送信する持続時間は通常９０ｍｓである。
【０１４３】
例えば、電子デバイスは、電子デバイスのプロセッサを使用することにより電子デバイスの充電装置を制御して、第１検出信号を送信することができる。
【０１４４】
Ｓ３０２：第１検出信号が送信される少なくとも２つの隣接する時点の間のギャップ時点に、電子デバイスが、無線充電デバイスにより送信される第２検出信号を受信する。
【０１４５】
例えば、第１検出信号の送信周波数は第１送信周波数であり、第２検出信号の送信周波数は第２送信周波数である。
【０１４６】
第２検出信号は、図１Ａにおける電子デバイス１０１などの電子デバイスが無線充電条件を満たしているかどうかを検出するために、無線充電デバイスにより使用される。
【０１４７】
ある考えられる設計方法では、第１送信周波数は第２送信周波数とは異なり、第１送信周波数は第２送信周波数の整数倍ではない。電子デバイスは、第１検出信号が送信される２つの隣接する時点の間のギャップ時点に、無線充電デバイスにより送信される第２検出信号を受信する。
【０１４８】
図４は、本願のある実施形態に係る、無線充電デバイスにより送信される第２検出信号と、電子デバイスにより送信される第１検出信号との間の時系列関係の概略図である。
【０１４９】
図４に示すように、電子デバイスは、時点ｔ１１からｔ１５に第１検出信号を順次送信する。ここで、送信周波数はｆ１であり、対応する第１送信サイクルはＴ１である。無線充電デバイスは、ｔ２１からｔ２４に第２検出信号を送信する。ここで、送信周波数はｆ２であり、対応する第１送信サイクルはＴ２であり、Ｔ２はＴ１より大きい、すなわち、ｆ１はｆ２より低い。図４に示すように、時点ｔ２２およびｔ２３に、電子デバイスの充電装置は第１検出信号を送信しない、すなわち、電子デバイスの充電装置はアイドル状態にあり、この場合、電子デバイスは、電子デバイスの充電装置を使用することにより、無線充電デバイスにより送信される第２検出信号を受信することができる。
【０１５０】
図４を参照すると、ｔ１２およびｔ１３は、電子デバイスが第１検出信号を送信する２つの隣接する時点である。電子デバイスは、ｔ１２とｔ１３との間のギャップ時点ｔ２２に、無線充電デバイスにより送信される第２検出信号ｔ２２を受信する。
【０１５１】
例えば、第２検出信号を受信するために電子デバイスにより使用される回路または装置は、電子デバイスの無線充電回路であってもよいし、電子デバイスの無線充電回路に結合される回路、デバイス、または装置であってもよい。
【０１５２】
例えば、図５に示すように、無線充電デバイスの無線充電回路は送信コイルＬ１とキャパシタＣ１とを含み、電子デバイスの無線充電回路は受信コイルＬ２とキャパシタＣ２およびＣ３とを含む。第２検出信号を受信する無線充電回路は、電子デバイスの無線充電回路に結合されるサンプリング回路、例えば、図５のサンプリング回路であってよい。
【０１５３】
第２検出信号を受信するために電子デバイスにより使用される回路または装置は代替的に、前述の無線充電回路から独立した別の回路、デバイス、および装置、例えば、電子デバイス内の電磁センサ（例えば、ホールセンサ）であってよいことが理解できる。本願のこの実施形態では、これについて限定しない。
【０１５４】
電子デバイスは、サンプリング回路または電磁センサを使用することにより第２検出信号を受信した後、電子デバイスのプロセッサを使用することにより、受信した第２検出信号が事前設定条件を満たしているかどうかを判断する。
【０１５５】
例えば、電子デバイスは、電子デバイスにより受信される第２検出信号の強度が事前設定強度閾値より大きいかどうかを判断することができる。ある考えられる設計方法では、事前設定条件は、第２検出信号の電圧が第１電圧閾値より大きいこと、第２検出信号の電流が第１電流閾値より大きいこと、または、第２検出信号の電力が第１電力閾値より大きいことのうちの少なくとも１つを含み得る。
【０１５６】
なお、第１電圧閾値、第１電流閾値、および第１電力閾値は、無線充電の実際の要件に基づいて事前設定され得る。
【０１５７】
事前設定条件を決定した結果の精度を向上させ、かつ、誤判定を回避するには、事前設定条件が満たされる最小回数を限定することもできる。従って、別の考えられる設計方法では、事前設定条件は代替的に、事前設定時間内に電子デバイスにより受信される第２検出信号の電圧が第１電圧閾値より大きい回数が、第１回数閾値より大きいこと、事前設定時間内に電子デバイスにより受信される第２検出信号の電流が第１電流閾値より大きい回数が、第２回数閾値より大きいこと、または、事前設定時間内に電子デバイスにより受信される第２検出信号の電力が第１電力閾値より大きい回数が、第３回数閾値より大きいことのうちの少なくとも１つを含み得る。
【０１５８】
なお、事前設定時間、第１回数閾値、第２回数閾値、および第３回数閾値は、無線充電の実際の要件、例えば、バッテリ容量または充電電力に基づいて事前設定され得る。
【０１５９】
Ｓ３０３：電子デバイスにより受信される第２検出信号が事前設定条件を満たしている場合に、電子デバイスが逆方向無線充電モードから順方向無線充電モードへ自動的に切り替わる。
【０１６０】
電子デバイスが逆方向無線充電モードから順方向無線充電モードへ自動的に切り替わるということは、電子デバイスが、無線充電デバイスにより送信される充電信号を受信する準備ができていることを意味する。
【０１６１】
電子デバイスにより受信される第２検出信号が事前設定条件を満たしている場合は、無線充電方法は更に段階１および段階２を含み得る。
【０１６２】
段階１：電子デバイスが無線充電デバイスに応答信号を送信する。
【０１６３】
応答信号は指示情報を保持する。指示情報は、電子デバイスにより受信される第２検出信号が事前設定条件を満たしていることを示すために使用され得る。指示情報は代替的に、電子デバイスが無線充電デバイスから充電信号を受信する準備ができていることを示すために使用され得る。指示情報は代替的に、充電信号を出力するように無線充電デバイスに命令するために使用され得る。
【０１６４】
電子デバイスにより送信される応答信号を無線充電デバイスが受信した後、無線充電デバイスは電子デバイスに充電信号を送信することができる。言い換えると、無線充電方法は更に以下の段階を含み得る。
【０１６５】
段階２：電子デバイスが、無線充電デバイスにより送信される充電信号を受信する。
【０１６６】
なお、第２検出信号を送信するプロセスにおける過剰な電気エネルギーの浪費を削減し、かつ、充電プロセスにおける充電効率を向上させるには、無線充電デバイスが第２検出信号および充電信号を送信するときに以下の条件のうちの少なくとも１つを通常満たしている必要がある。
【０１６７】
条件１：第２検出信号の送信周波数が充電信号の送信周波数より低い。
【０１６８】
条件２：第２検出信号の送信電力が充電信号の送信電力より小さい。
【０１６９】
条件３：無線充電デバイスが第２検出信号を断続的に送信する、例えば、第２検出信号を５００ミリ秒ごとに１０ミリ秒にわたって送信することができる。無線充電デバイスは、電子デバイスにより送信される応答信号を受信した後、電子デバイスの充電が完了するまで充電信号を継続的に送信することができる。
【０１７０】
なお、電子デバイスが第１検出信号を送信することにより電気エネルギーが浪費される事態を回避するために、電子デバイスが順方向無線充電モードにある場合は、電子デバイスが第１検出信号を送信しない場合がある。
【０１７１】
本願のこの実施形態で提供する無線充電方法によれば、電子デバイスは逆方向無線充電モードにあり、第１検出信号を送信する。電子デバイスは、電子デバイスが第１検出信号を送信する時点の間のギャップ時点に、無線充電デバイスにより送信される第２検出信号を受信することができ、受信した第２検出信号が事前設定条件を満たしていることを電子デバイスが検出すると、電子デバイスは逆方向無線充電モードから順方向無線充電モードへ自動的に切り替わることができ、言い換えると、電子デバイスは手動操作なしで順方向無線充電モードから逆方向無線充電モードへ自動的かつ適応的に切り替わることができ、無線充電の信頼性およびユーザ体験を向上させる。
【０１７２】
以上では、図３から図５を参照しながら、本願の複数の実施形態で提供する無線充電方法について詳細に説明した。以下では、図６および図７を参照しながら、前述した方法の実施形態における電子デバイスについて詳細に説明する。
【０１７３】
本願の幾つかの実施形態では、電子デバイスは、前述した方法の例に基づいて複数の機能モジュールまたは機能ユニットに分割され得る。例えば、対応する機能に基づく分割によって機能モジュールまたは機能ユニットが取得されてもよいし、２またはそれより多くの機能が統合されて１つの処理モジュールになってもよい。前述の統合されたモジュールはハードウェアの形態で実装されてもよいし、ソフトウェア機能モジュールまたは機能ユニットの形態で実装されてもよい。なお、本願の複数の実施形態では、これら複数のモジュールまたはユニットへの分割は例であり、単なる論理的な機能分割であり、実際の実装では他の分割であってよい。
【０１７４】
図６は、前述の実施形態における電子デバイスの考えられる概略構造図である。図６に示すように、電子デバイス６００は、送信モジュール６０１、受信モジュール６０２、および処理モジュール６０３を含む。
【０１７５】
送信モジュール６０１は、電子デバイスが逆方向無線充電モードにあるときに第１検出信号を送信するように構成される。
【０１７６】
受信モジュール６０２は、第１検出信号が送信される少なくとも２つの隣接する時点の間のギャップ時点に、無線充電デバイスにより送信される第２検出信号を受信するように構成される。
【０１７７】
処理モジュール６０３は、受信モジュール６０２により受信される第２検出信号が事前設定条件を満たしている場合に、電子デバイスを逆方向無線充電モードから順方向無線充電モードへ自動的に切り替えるように構成される。
【０１７８】
また、図６に示すように、電子デバイス６００は更に、電子デバイス６００のプログラム命令およびデータを記憶するように構成される記憶モジュール６０４を含み得る。
【０１７９】
例えば、第１検出信号の送信周波数は第１送信周波数であり、第２検出信号の送信周波数は第２送信周波数である。ある考えられる設計方法では、第１送信周波数は第２送信周波数とは異なり、第１送信周波数は第２送信周波数の整数倍ではない。
【０１８０】
ある考えられる設計方法では、事前設定条件は、電子デバイスにより受信される第２検出信号の電圧が第１電圧閾値より大きいこと、電子デバイスにより受信される第２検出信号の電流が第１電流閾値より大きいこと、または、電子デバイスにより受信される第２検出信号の電力が第１電力閾値より大きいことのうちの少なくとも１つを含む。
【０１８１】
別の考えられる設計方法では、事前設定条件は、事前設定時間内に電子デバイスにより受信される第２検出信号の電圧が第１電圧閾値より大きい回数が、第１回数閾値より大きいこと、事前設定時間内に電子デバイスにより受信される第２検出信号の電流が第１電流閾値より大きい回数が、第２回数閾値より大きいこと、または、事前設定時間内に電子デバイスにより受信される第２検出信号の電力が第１電力閾値より大きい回数が、第３回数閾値より大きいことのうちの少なくとも１つを含む。
【０１８２】
ある考えられる設計方法では、送信モジュール６０１は更に、無線充電デバイスに応答信号を送信するように構成される。
【０１８３】
応答信号は指示情報を保持し、指示情報は、電子デバイスにより受信される第２検出信号が事前設定条件を満たしていることを示すために使用される。
【０１８４】
オプションで、受信モジュール６０２は更に、送信モジュール６０１が無線充電デバイスに応答信号を送信した後、無線充電デバイスにより送信される充電信号を受信するように構成される。
【０１８５】
オプションで、充電信号の送信電力は第２検出信号の送信電力より大きい、および／または、充電信号の送信周波数は第２送信周波数より高い。
【０１８６】
本願のこの実施形態では、受信モジュール６０２および送信モジュール６０１はそれぞれ、電子デバイス内の充電コイルまたは装置を含む充電回路であってよい。
【０１８７】
図７は、前述の実施形態における電子デバイスの別の考えられる概略構造図である。図７に示すように、電子デバイス７００がプロセッサ７０１および通信インタフェース７０２を含む。プロセッサ７０１は、電子デバイスの動作を制御および管理する、例えば、処理モジュール６０３により実行される段階を実行するように構成される。また、プロセッサ７０１は更に、別のネットワークエンティティと通信する際に電子デバイスをサポートするように通信インタフェース７０２を制御する、例えば、送信モジュール６０１および受信モジュール６０２により実行される段階を実行するように構成される。また、電子デバイスは更にメモリ７０３およびバス７０４を含み得る。メモリ７０３は、電子デバイスのプログラムコードおよびデータを記憶するように構成される。
【０１８８】
プロセッサ７０１は、電子デバイス内のプロセッサまたはコントローラであってよい。プロセッサまたはコントローラは、本願で開示する内容を参照しながら説明する様々な例示的な論理ブロック、モジュール、および回路を実装または実行することができる。プロセッサまたはコントローラは、中央処理装置、汎用プロセッサ、デジタル信号プロセッサ、特定用途向け集積回路、フィールドプログラマブルゲートアレイもしくは別のプログラマブルロジックデバイス、トランジスタロジックデバイス、ハードウェアコンポーネント、またはこれらの任意の組み合わせであってよい。プロセッサは、本願で開示する内容を参照しながら説明する様々な例示的な論理ブロック、モジュール、および回路を実装または実行することができる。代替的に、プロセッサは、コンピューティング機能を実装するプロセッサの組み合わせ、例えば、１または複数のマイクロプロセッサの組み合わせ、またはデジタル信号プロセッサ（ｄｉｇｉｔａｌ  ｓｉｇｎａｌ  ｐｒｏｃｅｓｓｏｒ、ＤＳＰ）とマイクロプロセッサとの組み合わせであってよい。
【０１８９】
通信インタフェース７０２は、電子デバイス内の送受信器、送受信回路、または通信インタフェースなどであってよい。本願のこの実施形態では、通信インタフェース７０２は、電子デバイス内の充電コイルまたは装置を含む充電回路であってよい。
【０１９０】
メモリ７０３は電子デバイス内のメモリなどであってよい。メモリは、揮発性メモリ、例えば、ランダムアクセスメモリを含み得る。メモリは代替的に、不揮発性メモリ、例えば、リードオンリメモリ、フラッシュメモリ、ハードディスク、またはソリッドステートドライブを含み得る。メモリは代替的に、前述した種類のメモリの組み合わせを含み得る。
【０１９１】
バス７０４は、拡張業界標準構造（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。バス７０４は、アドレスバス、データバス、および制御バスなどに分類され得る。表現し易くするために、図７のバス７０４を表すために使用されている太線は１つしかないが、これは、バスが１つしかないこと、またはバスの種類が１つしかないことを意味しているわけではない。
【０１９２】
また、本願のある実施形態は更にコンピュータ可読記憶媒体を提供する。コンピュータ可読記憶媒体はコンピュータ命令を記憶する。コンピュータ上でコンピュータ命令が実行されると、コンピュータは、本願の複数の実施形態で提供する無線充電方法と、リソーススケジューリング方法の実施形態で電子デバイスまたは第２デバイスにより実行される対応する動作および／または手順とを実行することができる。
【０１９３】
本願のある実施形態は更にコンピュータプログラム製品を提供する。コンピュータプログラム製品はコンピュータプログラムコードを含む。コンピュータ上でコンピュータプログラムコードが実行されると、コンピュータは、本願の複数の実施形態で提供するリソーススケジューリング方法と、リソーススケジューリング方法の実施形態で電子デバイスまたは第２デバイスにより実行される対応する動作および／または手順とを実行することができる。
【０１９４】
本願は更に、前述の電子デバイスに適用され得るチップシステムを提供する。チップシステムはプロセッサおよび通信インタフェースを含む。プロセッサは、メモリ内に記憶されるコンピュータプログラムを読み取り、実行して、本願の複数の実施形態で提供する無線充電方法と、無線充電方法の実施形態で電子デバイスにより実行される対応する動作および／または手順とを実行するように構成される。メモリは、回路または電線を使用することによりプロセッサに接続される。プロセッサは、メモリ内のコンピュータプログラムを読み取り、実行するように構成される。通信インタフェースは、処理する必要のあるデータおよび／または情報を受信するように構成される。プロセッサは通信インタフェースからデータおよび／または情報を取得し、データおよび／または情報を処理する。例えば、通信インタフェースは送受信器または入出力インタフェースであってよい。
【０１９５】
本願のある実施形態は無線充電システムを提供する。無線充電システムは前述の電子デバイスおよび無線充電デバイスを含んでよく、本願の複数の実施形態で提供する無線充電方法を実行するように構成される。電子デバイスおよび無線充電デバイスの具体的な説明については、前述した方法の実施形態および装置の実施形態を参照されたい。詳細についてはここで改めて説明しない。
【０１９６】
本願の複数の実施形態におけるプロセッサは中央処理装置（ｃｅｎｔｒａｌ  ｐｒｏｃｅｓｓｉｎｇ  ｕｎｉｔ、ＣＰＵ）であってよいことを理解されたい。代替的に、プロセッサは、別の汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）もしくは別のプログラマブルロジックデバイス、ディスクリートゲートもしくはトランジスタロジックデバイス、またはディスクリートハードウェアコンポーネントなどであってよい。汎用プロセッサがマイクロプロセッサであってもよいし、プロセッサが任意の従来型プロセッサなどであってもよい。
【０１９７】
本願の複数の実施形態におけるメモリは揮発性メモリまたは不揮発性メモリであってもよいし、揮発性メモリおよび不揮発性メモリの両方を含んでもよいことを更に理解されたい。不揮発性メモリは、リードオンリメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、またはフラッシュメモリであってよい。揮発性メモリはランダムアクセスメモリ（ｒａｎｄｏｍ  ａｃｃｅｓｓ  ｍｅｍｏｒｙ、ＲＡＭ）であってよく、外部キャッシュとして使用される。限定的な説明ではない例では、多くの形態のランダムアクセスメモリ（ｒａｎｄｏｍ  ａｃｃｅｓｓ  ｍｅｍｏｒｙ、ＲＡＭ）、例えば、スタティックランダムアクセスメモリ（ｓｔａｔｉｃ  ＲＡＭ、ＳＲＡＭ）、ダイナミックランダムアクセスメモリ（ＤＲＡＭ）、同期型ダイナミックランダムアクセスメモリ（ｓｙｎｃｈｒｏｎｏｕｓ  ＤＲＡＭ、ＳＤＲＡＭ）、ダブルデータレート同期型ダイナミックランダムアクセスメモリ（ｄｏｕｂｌｅ  ｄａｔａ  ｒａｔｅ  ＳＤＲＡＭ、ＤＤＲ  ＳＤＲＡＭ）、高速同期型ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈｌｉｎｋ  ＤＲＡＭ、ＳＬＤＲＡＭ）、およびダイレクトラムバスランダムアクセスメモリ（ｄｉｒｅｃｔ  ｒａｍｂｕｓ  ＲＡＭ、ＤＲ  ＲＡＭ）が使用され得る。
【０１９８】
ソフトウェア、ハードウェア（例えば、回路）、ファームウェア、またはこれらの任意の組み合わせを使用することにより、前述の実施形態の全てまたは幾つかが実装され得る。ソフトウェアを使用して実施形態を実装する場合は、前述の実施形態はコンピュータプログラム製品の形態で完全にまたは部分的に実装され得る。コンピュータプログラム製品は、１または複数のコンピュータ命令またはコンピュータプログラムを含む。コンピュータ上でプログラム命令またはコンピュータプログラムがロードおよび実行されると、本願の複数の実施形態に係る手順または機能は完全にまたは部分的に生成される。コンピュータは、汎用コンピュータ、専用コンピュータ、コンピュータネットワーク、または別のプログラマブル装置であってよい。コンピュータ命令はコンピュータ可読記憶媒体に記憶されてもよいし、あるコンピュータ可読記憶媒体から別のコンピュータ可読記憶媒体に送信されてもよい。例えば、コンピュータ命令は、有線（例えば、赤外線、無線、またはマイクロ波）方式で、あるウェブサイト、コンピュータ、サーバ、またはデータセンタから別のウェブサイト、コンピュータ、サーバ、またはデータセンタに送信されてよい。コンピュータ可読記憶媒体は、コンピュータによってアクセス可能な任意の使用可能な媒体、または、１または複数の使用可能な媒体を統合した、サーバもしくはデータセンタなどのデータ記憶デバイスであってよい。使用可能な媒体は、磁気媒体（例えば、フロッピーディスク、ハードディスク、または磁気テープ）、光学媒体（例えば、ＤＶＤ）、または半導体媒質であってよい。半導体媒質はソリッドステートドライブであってよい。
【０１９９】
本願の複数の実施形態における「および／または」という用語は、関連付けられるオブジェクトを説明するための関連付け条件のみを説明しており、３つの条件が存在し得ることを表していると理解されたい。例えば、Ａおよび／またはＢは、Ａのみが存在する、ＡおよびＢの両方が存在する、および、Ｂのみが存在するという３つの場合を表すことができる。ＡおよびＢは単数または複数であってよい。また、本明細書における「／」という文字は通常、関連付けられるオブジェクト間の「または」の条件を表すか、または「および／または」の条件を表すことができる。詳細については、前述の説明および以下の説明を参照して理解されたい。
【０２００】
本願の複数の実施形態では、「少なくとも１つの」は１または複数のを意味し、「複数の」は２またはそれより多くのを意味する。「以下のうちの少なくとも１つ（のピース）」、またはそれと同様の表現は、単数のアイテム（ピース）または複数のアイテム（ピース）の任意の組み合わせを含む、これらのアイテムの任意の組み合わせを意味する。例えば、ａ、ｂ、またはｃのうちの少なくとも１つ（のピース）は、ａ、ｂ、ｃ、ａ−ｂ、ａ−ｃ、ｂ−ｃ、またはａ−ｂ−ｃを表すことができる。ここで、ａ、ｂ、およびｃは単数または複数であってよい。
【０２０１】
本願の複数の実施形態では、「第１」および「第２」などの用語は、異なるオブジェクトを区別すること、または同じオブジェクトの異なる処理を区別することを意図しているが、物体の特定の順序は示していない。
【０２０２】
本願の複数の実施形態では、用語「含む（ｉｎｃｌｕｄｅ）」、「含む（ｈａｖｅ）」、およびこれらの任意の他の変形例は、非排他的な包含をカバーすることを意図している。例えば、一連の段階またはユニットを含むプロセス、方法、システム、製品、またはデバイスは、列挙されている段階またはユニットに限定されないが、幾つかの実施形態では、他の列挙されていない段階またはユニットを更に含む、または、幾つかの実施形態では、当該プロセス、方法、製品、またはデバイスの別の固有の段階またはユニットを更に含む。
【０２０３】
本願の複数の実施形態では、「例えば」または「例えば」という文言は、例、例示、または説明を与えることを表すために使用される。本願の複数の実施形態で「例えば」または「例えば」として説明される任意の実施形態または設計スキームは、別の実施形態または設計スキームよりも好ましいかまたはより多くの利点を有するものとして説明されるべきではない。正確には、「例えば」または「例えば」という文言の使用は、関連する概念を特定の方式で提示することを意図している。
【０２０４】
本願の複数の実施形態では、「情報（ｉｎｆｏｒｍａｔｉｏｎ）」、「信号（ｓｉｇｎａｌ）」、「メッセージ（ｍｅｓｓａｇｅ）」、「チャネル（ｃｈａｎｎｅｌ）」、「シグナリング（ｓｉｎｇａｌｌｉｎｇ）」、および「メッセージ（ｍｅｓｓａｇｅ）」は、時として同じ意味で使用され得る。なお、違いが強調されていない場合、これらの用語により表される意味は一貫している。「の（ｏｆ）」、「対応する（ｃｏｒｒｅｓｐｏｎｄｉｎｇ、ｒｅｌｅｖａｎｔ）」、および、「対応する（ｃｏｒｒｅｓｐｏｎｄｉｎｇ）」は、時として同じ意味で使用され得る。なお、違いが強調されていない場合、これらの用語により表される意味は一貫している。
【０２０５】
本願の複数の実施形態では、時として、例えば、Ｗ１内の下付き文字がＷ１などの間違った形態で記述され得る。違いが強調されていない場合、表される意味は一貫している。
【０２０６】
プロセスのシーケンス番号は本願の様々な実施形態における実行順序を意味するものでないことを理解されたい。プロセスの実行順序はプロセスの機能および内部ロジックに基づいて決定されるべきであり、本願の複数の実施形態の実装プロセスに対するいかなる制限とも解釈されるべきではない。
【０２０７】
当業者であれば、本明細書で開示する実施形態を参照しながら説明した例におけるユニットおよびアルゴリズム段階が、電子ハードウェア、または、コンピュータソフトウェアと電子ハードウェアとの組み合わせにより実装され得ることに気付くかもしれない。これらの機能がハードウェアおよびソフトウェアのどちらで実行されるかは、技術的解決策の特定の用途および設計上の制約で決まる。当業者であれば、異なる方法を使用して、説明されている機能を特定の用途ごとに実装し得るが、こうした実装が本願の範囲を超えるものとみなされるべきではない。
【０２０８】
当業者であれば、簡便かつ簡単な説明を目的として、前述のシステム、装置、およびユニットの詳細な動作プロセスについては、前述した方法の実施形態における対応するプロセスが参照され得ることを明確に理解できる。詳細についてはここで改めて説明しない。
【０２０９】
本願で提供する幾つかの実施形態では、開示されるシステム、装置、および方法が別の方式で実装され得ることを理解されたい。例えば、前述した装置の実施形態は単なる例である。例えば、複数のユニットへの分割は単に論理的な機能分割であり、実際の実装では他の分割であってよい。例えば、複数のユニットまたはコンポーネントを組み合わせるかまたは統合して別のシステムにしてもよいし、幾つかの特徴を無視するかまたは実行しなくてもよい。また、表示または説明されている相互結合もしくは直接結合または通信接続は、幾つかのインタフェースを使用することにより実装され得る。装置間またはユニット間の間接結合または通信接続は、電子的形態、機械的形態、または別の形態で実装され得る。
【０２１０】
別個の部分として説明されているユニットは、物理的に別個のものであってもなくてもよい。ユニットとして表示されている部分は、物理的ユニットであってもなくてもよく、１箇所に配置されてもよいし、複数のネットワークユニット上に分散されてもよい。実施形態の解決策の目的を達成するために、これらのユニットの幾つかまたは全てが実際の要件に基づいて選択され得る。
【０２１１】
また、本願の複数の実施形態における機能ユニットが統合されて１つの処理ユニットになってもよいし、これらのユニットの各々が物理的に単独で存在してもよく、または、２またはそれより多くのユニットが統合されて１つのユニットになる。
【０２１２】
これらの機能がソフトウェア機能ユニットの形態で実装され、独立した製品として販売または使用されると、これらの機能はコンピュータ可読記憶媒体に記憶され得る。こうした理解に基づいて、本願の技術的解決策は本質的に、または従来技術に寄与する部分が、またはこれらの技術的解決策のうちの幾つかが、コンピュータソフトウェア製品の形態で実装され得る。コンピュータソフトウェア製品は記憶媒体内に記憶され、本願の複数の実施形態における方法の段階の全てまたは幾つかを実行するようにコンピュータデバイス（パーソナルコンピュータ、サーバ、またはネットワークデバイスであってよい）に指示するための幾つかの命令を含む。前述の記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクなどの、プログラムコードを記憶し得る任意の媒体を含む。
【０２１３】
前述の説明は単に本願の特定の実装であるが、本願の保護範囲を限定することを意図するものではない。本願において開示する技術的範囲内で当業者が容易に考え出す変形または置換はいずれも、本願の保護範囲に含まれるものとする。従って、本願の保護範囲は特許請求の範囲の保護範囲に従うものとする。
【図１Ａ】
2022501703.tif 000003
【図１Ｂ】
2022501703.tif 000004
【図２Ａ】
2022501703.tif 000005
【図２Ｂ】
2022501703.tif 000006
【図３】
2022501703.tif 000007
【図４】
2022501703.tif 000008
【図５】
2022501703.tif 000009
【図６】
2022501703.tif 000010
【図７】
2022501703.tif 000011
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
無線充電方法であって、
電子デバイスが、前記電子デバイスが無線充電出力モードにあるときに第１検出信号を送信する段階と、
前記電子デバイスが、無線充電デバイスにより送信される第２検出信号を受信する段階と、
前記電子デバイスが、前記第２検出信号に応答して、前記無線充電出力モードから無線充電入力モードへ切り替わる段階と
を備える無線充電方法。
【請求項２】
前記無線充電デバイスは、無線充電出力モードにあり、前記第２検出信号は、前記電子デバイスが前記無線充電出力モードにあるとき、および、前記電子デバイスが前記第１検出信号を送信しないときに、前記電子デバイスにより受信される、請求項１に記載の無線充電方法。
【請求項３】
前記第２検出信号が、前記電子デバイスが前記無線充電出力モードにあるとき、および、前記電子デバイスが前記第１検出信号を送信しないときに、前記電子デバイスにより受信されることは、
前記第２検出信号が、前記電子デバイスが前記無線充電出力モードにあるときに、前記電子デバイスにより受信され、前記第２検出信号が、前記電子デバイスが前記第１検出信号を送信する時点の間のギャップ時点に受信されること
を含む、請求項２に記載の無線充電方法。
【請求項４】
前記第２検出信号が、前記電子デバイスが前記無線充電出力モードにあるとき、および、前記電子デバイスが前記第１検出信号を送信しないときに、前記電子デバイスにより受信されることは、
前記第２検出信号が、前記電子デバイスが前記無線充電出力モードにあるときに、前記電子デバイスにより受信され、前記第２検出信号が、前記電子デバイスが前記第１検出信号を送信する少なくとも２つの隣接する時点の間のギャップ時点に受信されること
を含む、請求項２または３に記載の無線充電方法。
【請求項５】
前記電子デバイスが前記無線充電入力モードに切り替わると、前記電子デバイスは、前記無線充電デバイスから無線充電信号を受信することで、前記無線充電デバイスから充電電流を受け取る、請求項１から４のいずれか一項に記載の無線充電方法。
【請求項６】
前記電子デバイスが、前記第２検出信号に応答して、前記無線充電出力モードから無線充電入力モードへ切り替わる前記段階は、
前記電子デバイスが、前記第２検出信号に応答して、前記無線充電出力モードから無線充電入力モードへ自動的に切り替わる段階
を有する、請求項１から５のいずれか一項に記載の無線充電方法。
【請求項７】
前記電子デバイスが、前記第２検出信号に応答して、前記無線充電出力モードから無線充電入力モードへ切り替わる前記段階は、
前記電子デバイスが、前記第２検出信号に応答して、前記無線充電出力モードから無線充電入力モードへ自動的に切り替わる段階
を有する、請求項１から６のいずれか一項に記載の無線充電方法。
【請求項８】
ユーザ入力に応答して、前記電子デバイスを前記無線充電出力モードに設定する段階
を更に備える請求項１から７のいずれか一項に記載の無線充電方法。
【請求項９】
前記第１検出信号は、無線充電コイルを通じて前記電子デバイスにより送信され、
前記第２検出信号は、前記無線充電コイルを通じて前記電子デバイスにより受信される、
請求項１から８のいずれか一項に記載の無線充電方法。
【請求項１０】
前記第１検出信号の送信周波数が第１送信周波数であり、前記第２検出信号の送信周波数が第２送信周波数であり、前記第１送信周波数は、前記第２送信周波数とは異なり、前記第１送信周波数は、前記第２送信周波数の整数倍ではない、請求項１から９のいずれか一項に記載の無線充電方法。
【請求項１１】
前記無線充電デバイスが前記第２検出信号を送信する送信周波数が第２周波数であり、前記無線充電デバイスが前記無線充電信号を送信する送信周波数が第３周波数であり、
前記第２周波数は、前記第３周波数より低い、または、前記無線充電信号の送信電力が前記第２検出信号の送信電力より大きい、
請求項５に記載の無線充電方法。
【請求項１２】
前記電子デバイスが、前記第２検出信号に応答して、前記無線充電出力モードから無線充電入力モードへ切り替わる前記段階は、
前記電子デバイスが、事前設定条件を満たしている前記第２検出信号に応答して、前記無線充電出力モードから無線充電入力モードへ切り替わる段階であって、前記事前設定条件は、
前記電子デバイスにより受信される前記第２検出信号の電圧が第１電圧閾値より大きいこと、
前記電子デバイスにより受信される前記第２検出信号の電流が第１電流閾値より大きいこと、または、
前記電子デバイスにより受信される前記第２検出信号の電力が第１電力閾値より大きいこと
のうちの少なくとも１つを含む、段階
を有する、請求項１から１１のいずれか一項に記載の無線充電方法。
【請求項１３】
前記電子デバイスが、前記第２検出信号に応答して、前記無線充電出力モードから無線充電入力モードへ切り替わる前記段階は、
前記電子デバイスが、事前設定条件を満たしている前記第２検出信号に応答して、前記無線充電出力モードから無線充電入力モードへ切り替わる段階であって、前記事前設定条件は、
事前設定時間内に前記電子デバイスにより受信される前記第２検出信号の電圧が第１電圧閾値より大きい回数が、第１回数閾値より大きいこと、
事前設定時間内に前記電子デバイスにより受信される前記第２検出信号の電流が第１電流閾値より大きい回数が、第２回数閾値より大きいこと、または、
事前設定時間内に前記電子デバイスにより受信される前記第２検出信号の電力が第１電力閾値より大きい回数が、第３回数閾値より大きいこと
のうちの少なくとも１つを含む、請求項１から１１のいずれか一項に記載の無線充電方法。
【請求項１４】
前記電子デバイスが前記無線充電デバイスに応答信号を送信する段階であって、前記応答信号は、指示情報を保持し、前記指示情報は、前記電子デバイスにより受信される前記第２検出信号が前記事前設定条件を満たしていることを示すために使用される、段階
を更に備える請求項１２または１３に記載の無線充電方法。
【請求項１５】
前記電子デバイスが前記無線充電デバイスに応答信号を送信する前記段階の後、
前記電子デバイスが、前記無線充電デバイスにより送信される充電信号を受信する段階
を更に備える請求項１４に記載の無線充電方法。
【請求項１６】
前記無線充電デバイスにより送信される充電信号の送信電力が前記第２検出信号の送信電力より大きい、および／または、
前記充電信号の送信周波数が、前記第２検出信号の送信周波数である第２送信周波数より高い、
請求項１から１５のいずれか一項に記載の無線充電方法。
【請求項１７】
プロセッサと通信インタフェースとを備えるチップであって、前記プロセッサは、メモリ内に記憶されるコンピュータプログラムを実行して、請求項１から１６のいずれか一項に記載の無線充電方法を実装するように構成される、チップ。
【請求項１８】
プロセッサとメモリとを備える電子デバイスであって、前記メモリは、１または複数のプログラムを記憶するように構成され、前記１または複数のプログラムは、前記１または複数のプロセッサにより実行されるように構成され、前記１または複数のプログラムは、前記電子デバイスに、請求項１から１６のいずれか一項に記載の無線充電方法を実行させる、電子デバイス。
【請求項１９】
コンピュータに、請求項１から１６のいずれか一項に記載の無線充電方法を実行させるためのコンピュータプログラム。
【手続補正２】
【補正対象書類名】明細書
【補正対象項目名】００３０
【補正方法】変更
【補正の内容】
【００３０】
本願において、電子デバイス内のユニットおよびモジュールの名称がデバイスへの制限になることはない。実際の実装では、これらのユニットおよびモジュールは、当該ユニットおよびモジュールの機能が本願の複数の実施形態のものと同様である限り、すなわち、当該ユニットおよびモジュールが本願の特許請求の範囲の保護範囲に含まれる限り、他の名称を有し得る。
【手続補正３】
【補正対象書類名】明細書
【補正対象項目名】００６０
【補正方法】変更
【補正の内容】
【００６０】
Ｉ２Ｃインタフェースは双方向同期シリアルバスであり、シリアルデータライン（ｓｅｒｉａｌ  ｄａｔａ  ｌｉｎｅ、ＳＤＡ）およびシリアルクロックライン（ｓｅｒｉａｌ  ｃｌｏｃｋ  ｌｉｎｅ、ＳＣＬ）を含む。幾つかの実施形態では、プロセッサ２１０は複数のグループのＩ２Ｃバスを含み得る。プロセッサ２１０は、複数の異なるＩ２Ｃバスインタフェースを使用することにより、タッチセンサ２８０Ｋ、充電器、フラッシュ、およびカメラ２９３などに別個に結合され得る。例えば、プロセッサ２１０は、Ｉ２Ｃインタフェースを使用することによりタッチセンサ２８０Ｋに結合されてよく、その結果、プロセッサ２１０は、Ｉ２Ｃバスインタフェースを使用することによりタッチセンサ２８０Ｋと通信して、電子デバイス１０１のタッチ機能を実装する。
【手続補正４】
【補正対象書類名】明細書
【補正対象項目名】００６１
【補正方法】変更
【補正の内容】
【００６１】
Ｉ２Ｓインタフェースはオーディオ通信に使用され得る。幾つかの実施形態では、プロセッサ２１０は複数のグループのＩ２Ｓバスを含み得る。プロセッサ２１０は、Ｉ２Ｓバスを使用することによりオーディオモジュール２７０に結合されて、プロセッサ２１０とオーディオモジュール２７０との間の通信を実装することができる。幾つかの実施形態では、オーディオモジュール２７０は、Ｉ２Ｓインタフェースを使用することにより無線通信モジュール２６０にオーディオ信号を転送して、Ｂｌｕｅｔｏｏｔｈ（登録商標）ヘッドセットを使用することにより電話に応答する機能を実装することができる。
【手続補正５】
【補正対象書類名】明細書
【補正対象項目名】００７６
【補正方法】変更
【補正の内容】
【００７６】
無線通信モジュール２６０は、無線ローカルエリアネットワーク（ｗｉｒｅｌｅｓｓ  ｌｏｃａｌ  ａｒｅａ  ｎｅｔｗｏｒｋ、ＷＬＡＮ）（例えば、ワイヤレスフィデリティ（ｗｉｒｅｌｅｓｓ  ｆｉｄｅｌｉｔｙ、Ｗｉ−Ｆｉ（登録商標））ネットワーク）、ブルートゥース（登録商標）（Ｂｌｕｅｔｏｏｔｈ、ＢＴ）、全球測位衛星システム（ｇｌｏｂａｌ  ｎａｖｉｇａｔｉｏｎ  ｓａｔｅｌｌｉｔｅ  ｓｙｓｔｅｍ、ＧＮＳＳ）、周波数変調（ｆｒｅｑｕｅｎｃｙ  ｍｏｄｕｌａｔｉｏｎ、ＦＭ）、近距離無線通信（ｎｅａｒ  ｆｉｅｌｄ  ｃｏｍｍｕｎｉｃａｔｉｏｎ、ＮＦＣ）技術、または赤外線（ｉｎｆｒａｒｅｄ、ＩＲ）技術などを含み、かつ、電子デバイス１０１に適用される、無線通信の解決策を提供することができる。無線通信モジュール２６０は、少なくとも１つの通信処理モジュールを統合する１または複数のデバイスであってよい。無線通信モジュール２６０は、アンテナ２を使用することにより電磁波を受信し、電磁波信号に対して周波数変調およびフィルタリング処理を実行し、処理した信号をプロセッサ２１０に送信する。無線通信モジュール２６０は更に、送信予定の信号をプロセッサ２１０から受信し、当該信号に対して周波数変調および増幅を実行し、当該信号を電磁波に変換してアンテナ２を使用することにより放射することができる。
【手続補正６】
【補正対象書類名】明細書
【補正対象項目名】００７７
【補正方法】変更
【補正の内容】
【００７７】
幾つかの実施形態では、電子デバイス１０１内のアンテナ１およびモバイル通信モジュール２５０は結合され、電子デバイス１０１内のアンテナ２および無線通信モジュール２６０は結合され、その結果、電子デバイス１０１は、無線通信技術を使用することによりネットワークおよび別のデバイスと通信することができる。無線通信技術は、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））、汎用パケット無線サービス（ｇｅｎｅｒａｌ  ｐａｃｋｅｔ  ｒａｄｉｏ  ｓｅｒｖｉｃｅ、ＧＰＲＳ）、符号分割多元接続（ｃｏｄｅ  ｄｉｖｉｓｉｏｎ  ｍｕｌｔｉｐｌｅ  ａｃｃｅｓｓ、ＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））、時分割符号分割多元接続（ｔｉｍｅ−ｄｉｖｉｓｉｏｎ  ｃｏｄｅ  ｄｉｖｉｓｉｏｎ  ｍｕｌｔｉｐｌｅ  ａｃｃｅｓｓ、ＴＤ−ＳＣＤＭＡ）、ロングタームエボリューション（ｌｏｎｇ  ｔｅｒｍ  ｅｖｏｌｕｔｉｏｎ、ＬＴＥ）、ＢＴ、ＧＮＳＳ、ＷＬＡＮ、ＮＦＣ、ＦＭ、および／またはＩＲ技術などを含み得る。ＧＮＳＳは、グローバルポジショニングシステム（ｇｌｏｂａｌ  ｐｏｓｉｔｉｏｎｉｎｇ  ｓｙｓｔｅｍ、ＧＰＳ）、全球測位衛星システム（ｇｌｏｂａｌ  ｎａｖｉｇａｔｉｏｎ  ｓａｔｅｌｌｉｔｅ  ｓｙｓｔｅｍ、ＧＬＯＮＡＳＳ）、北斗衛星導航系統（ＢｅｉＤｏｕ  ｎａｖｉｇａｔｉｏｎ  ｓａｔｅｌｌｉｔｅ  ｓｙｓｔｅｍ、ＢＤＳ）、準天頂衛星システム（ｑｕａｓｉ−ｚｅｎｉｔｈ  ｓａｔｅｌｌｉｔｅ  ｓｙｓｔｅｍ、ＱＺＳＳ）、および／または静止衛星型衛星航法補強システム（ｓａｔｅｌｌｉｔｅ  ｂａｓｅｄ  ａｕｇｍｅｎｔａｔｉｏｎ  ｓｙｓｔｅｍ、ＳＢＡＳ）を含み得る。
【手続補正７】
【補正対象書類名】明細書
【補正対象項目名】００７９
【補正方法】変更
【補正の内容】
【００７９】
ディスプレイ２９４は、画像および映像などを表示するように構成される。ディスプレイ２９４は表示パネルを含む。表示パネルは、液晶ディスプレイ（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、アクティブマトリクス式有機発光ダイオード（ａｃｔｉｖｅ−ｍａｔｒｉｘ  ｏｒｇａｎｉｃ  ｌｉｇｈｔ  ｅｍｉｔｔｉｎｇ  ｄｉｏｄｅ、ＡＭＯＬＥＤ）、フレキシブル発光ダイオード（ｆｌｅｘ  ｌｉｇｈｔ−ｅｍｉｔｔｉｎｇ  ｄｉｏｄｅ、ＦＬＥＤ）、ミニＬＥＤ、マイクロＬＥＤ、マイクロＯＬＥＤ、または量子ドット発光ダイオード（ｑｕａｎｔｕｍ  ｄｏｔ  ｌｉｇｈｔ  ｅｍｉｔｔｉｎｇ  ｄｉｏｄｅ、ＱＬＥＤ）などを使用することができる。幾つかの実施形態では、電子デバイス１０１は１またはＮ個のディスプレイ２９４を含み得る。ここで、Ｎは１より大きな正の整数である。
【手続補正８】
【補正対象書類名】明細書
【補正対象項目名】００８４
【補正方法】変更
【補正の内容】
【００８４】
映像コーデックは、デジタル映像を圧縮または解凍するように構成される。電子デバイス１０１は、１または複数の映像コーデックをサポートすることができる。このように、電子デバイス１０１は、複数の符号化形式、例えば、動画専門家集団（ｍｏｖｉｎｇ  ｐｉｃｔｕｒｅ  ｅｘｐｅｒｔｓ  ｇｒｏｕｐ、ＭＰＥＧ−１、ＭＰＥＧ−２、ＭＰＥＧ−３、およびＭＰＥＧ−４）で映像を再生または記録することができる。
【手続補正９】
【補正対象書類名】明細書
【補正対象項目名】００８７
【補正方法】変更
【補正の内容】
【００８７】
内部メモリ２２１は、コンピュータにより実行可能なプログラムコードを記憶するように構成されてよく、コンピュータにより実行可能なプログラムコードは命令を含む。プロセッサ２１０は、内部メモリ２２１内に記憶される命令を実行することにより電子デバイス１０１の様々な機能アプリケーションおよびデータ処理を実行する。内部メモリ２２１は、プログラム記憶領域およびデータ記憶領域を含み得る。プログラム記憶領域は、オペレーティングシステム、および、少なくとも１つの機能（例えば、音再生機能または画像再生機能）により必要とされるアプリケーションプログラムなどを記憶することができる。データ記憶領域は、電子デバイス１０１の使用中に作成されるデータ（例えば、オーディオデータまたはアドレス帳）などを記憶することができる。また、内部メモリ２２１は高速ランダムアクセスメモリを含んでよく、更には、不揮発性メモリ、例えば、少なくとも１つの磁気ディスク記憶デバイス、フラッシュメモリデバイス、またはユニバーサルフラッシュストレージ（ｕｎｉｖｅｒｓａｌ  ｆｌａｓｈ（登録商標）ｓｔｏｒａｇｅ、ＵＦＳ）を含んでよい。
【手続補正１０】
【補正対象書類名】明細書
【補正対象項目名】００９２
【補正方法】変更
【補正の内容】
【００９２】
マイク２７０Ｃは「マイク」とも呼ばれ、音信号を電気信号に変換するように構成される。ユーザは、電話をかけるかまたは音声情報を送信するとき、人の口をマイク２７０Ｃの近くに動かして音信号をマイク２７０Ｃに入力することにより音を立てることができる。少なくとも１つのマイク２７０Ｃを電子デバイス１０１内に配置することができる。幾つかの他の実施形態では、２つのマイク２７０Ｃを電子デバイス１０１内に配置して、音信号を収集し、更には、ノイズ低減機能を実装することができる。幾つかの他の実施形態では、代替的に３つ、４つ、またはそれより多くのマイク２７０Ｃを電子デバイス１０１内に配置して、音信号の収集、ノイズの低減、音源の識別、および指向性記録機能の実装などを行うことができる。
【手続補正１１】
【補正対象書類名】明細書
【補正対象項目名】０１１０
【補正方法】変更
【補正の内容】
【０１１０】
電子デバイス１０１のソフトウェアシステムは、階層アーキテクチャ、イベント駆動型アーキテクチャ、マイクロカーネルアーキテクチャ、マイクロサービスアーキテクチャ、またはクラウドアーキテクチャを使用することができる。本願のこの実施形態では、階層アーキテクチャを有するＡｎｄｒｏｉｄ（登録商標）システムが、電子デバイス１０１のソフトウェア構造を説明するための例として使用される。
【手続補正１２】
【補正対象書類名】明細書
【補正対象項目名】０１２４
【補正方法】変更
【補正の内容】
【０１２４】
カーネルライブラリは、２つの部分、すなわち、Ｊａｖａ（登録商標）言語で呼び出す必要のある関数と、Ａｎｄｒｏｉｄのカーネルライブラリとを含む。
【手続補正１３】
【補正対象書類名】明細書
【補正対象項目名】０１５０
【補正方法】変更
【補正の内容】
【０１５０】
図４を参照すると、ｔ１２およびｔ１３は、電子デバイスが第１検出信号を送信する２つの隣接する時点である。電子デバイスは、ｔ１２とｔ１３との間のギャップ時点ｔ２２に、無線充電デバイスにより送信される第２検出信号を受信する。
【手続補正１４】
【補正対象書類名】明細書
【補正対象項目名】０１９１
【補正方法】変更
【補正の内容】
【０１９１】
バス７０４は、拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。バス７０４は、アドレスバス、データバス、および制御バスなどに分類され得る。表現し易くするために、図７のバス７０４を表すために使用されている太線は１つしかないが、これは、バスが１つしかないこと、またはバスの種類が１つしかないことを意味しているわけではない。
【手続補正１５】
【補正対象書類名】明細書
【補正対象項目名】０２０３
【補正方法】変更
【補正の内容】
【０２０３】
本願の複数の実施形態では、「例えば」という文言は、例、例示、または説明を与えることを表すために使用される。本願の複数の実施形態で「例えば」として説明される任意の実施形態または設計スキームは、別の実施形態または設計スキームよりも好ましいかまたはより多くの利点を有するものとして説明されるべきではない。正確には、「例えば」という文言の使用は、関連する概念を特定の方式で提示することを意図している。
（項目１）
無線充電方法であって、
電子デバイスが、上記電子デバイスが逆方向無線充電モードにあるときに第１検出信号を送信する段階と、
上記電子デバイスが、上記第１検出信号が送信される少なくとも２つの隣接する時点の間のギャップ時点に、無線充電デバイスにより送信される第２検出信号を受信する段階と、
上記電子デバイスにより受信される上記第２検出信号が事前設定条件を満たしている場合に、上記電子デバイスが上記逆方向無線充電モードから順方向無線充電モードへ自動的に切り替わる段階と
を備える方法。
（項目２）
上記第１検出信号の送信周波数が第１送信周波数であり、上記第２検出信号の送信周波数が第２送信周波数であり、上記第１送信周波数は、上記第２送信周波数とは異なり、上記第１送信周波数は、上記第２送信周波数の整数倍ではない、項目１に記載の無線充電方法。
（項目３）
上記事前設定条件は、
上記電子デバイスにより受信される上記第２検出信号の電圧が第１電圧閾値より大きいこと、
上記電子デバイスにより受信される上記第２検出信号の電流が第１電流閾値より大きいこと、または、
上記電子デバイスにより受信される上記第２検出信号の電力が第１電力閾値より大きいこと
のうちの少なくとも１つを含む、項目１または２に記載の無線充電方法。
（項目４）
上記事前設定条件は、
事前設定時間内に上記電子デバイスにより受信される上記第２検出信号の電圧が第１電圧閾値より大きい回数が、第１回数閾値より大きいこと、
事前設定時間内に上記電子デバイスにより受信される上記第２検出信号の電流が第１電流閾値より大きい回数が、第２回数閾値より大きいこと、または、
事前設定時間内に上記電子デバイスにより受信される上記第２検出信号の電力が第１電力閾値より大きい回数が、第３回数閾値より大きいこと
のうちの少なくとも１つを含む、項目１または２に記載の無線充電方法。
（項目５）
上記電子デバイスが上記無線充電デバイスに応答信号を送信する段階であって、上記応答信号は、指示情報を保持し、上記指示情報は、上記電子デバイスにより受信される上記第２検出信号が上記事前設定条件を満たしていることを示すために使用される、段階
を更に備える項目１から４のいずれか一項に記載の無線充電方法。
（項目６）
上記電子デバイスが上記無線充電デバイスに応答信号を送信する上記段階の後、
上記電子デバイスが、上記無線充電デバイスにより送信される充電信号を受信する段階
を更に備える項目５に記載の無線充電方法。
（項目７）
上記充電信号の送信電力が上記第２検出信号の送信電力より大きい、および／または、
上記充電信号の送信周波数が上記第２送信周波数より高い、
項目６に記載の無線充電方法。
（項目８）
送信モジュールと、受信モジュールと、処理モジュールとを備える電子デバイスであって、
上記送信モジュールは、上記電子デバイスが逆方向無線充電モードにあるときに第１検出信号を送信するように構成され、
上記受信モジュールは、上記第１検出信号が送信される少なくとも２つの隣接する時点の間のギャップ時点に、無線充電デバイスにより送信される第２検出信号を受信するように構成され、
上記処理モジュールは、上記受信モジュールにより受信される上記第２検出信号が事前設定条件を満たしている場合に、上記電子デバイスを上記逆方向無線充電モードから順方向無線充電モードへ自動的に切り替えるように構成される、
電子デバイス。
（項目９）
上記第１検出信号の送信周波数が第１送信周波数であり、上記第２検出信号の送信周波数が第２送信周波数であり、上記第１送信周波数は、上記第２送信周波数とは異なり、上記第１送信周波数は、上記第２送信周波数の整数倍ではない、項目８に記載の電子デバイス。
（項目１０）
上記事前設定条件は、
上記電子デバイスにより受信される上記第２検出信号の電圧が第１電圧閾値より大きいこと、
上記電子デバイスにより受信される上記第２検出信号の電流が第１電流閾値より大きいこと、または、
上記電子デバイスにより受信される上記第２検出信号の電力が第１電力閾値より大きいこと
のうちの少なくとも１つを含む、項目８または９に記載の電子デバイス。
（項目１１）
上記事前設定条件は、
事前設定時間内に上記電子デバイスにより受信される上記第２検出信号の電圧が第１電圧閾値より大きい回数が、第１回数閾値より大きいこと、
事前設定時間内に上記電子デバイスにより受信される上記第２検出信号の電流が第１電流閾値より大きい回数が、第２回数閾値より大きいこと、または、
事前設定時間内に上記電子デバイスにより受信される上記第２検出信号の電力が第１電力閾値より大きい回数が、第３回数閾値より大きいこと
のうちの少なくとも１つを含む、項目８または９に記載の電子デバイス。
（項目１２）
上記送信モジュールは更に、上記無線充電デバイスに応答信号を送信するように構成され、上記応答信号は、指示情報を保持し、上記指示情報は、上記電子デバイスにより受信される上記第２検出信号が上記事前設定条件を満たしていることを示すために使用される、
項目８から１１のいずれか一項に記載の電子デバイス。
（項目１３）
上記受信モジュールは更に、上記送信モジュールが上記無線充電デバイスに上記応答信号を送信した後、上記無線充電デバイスにより送信される充電信号を受信するように構成される、
項目１２に記載の電子デバイス。
（項目１４）
上記充電信号の送信電力が上記第２検出信号の送信電力より大きい、および／または、
上記充電信号の送信周波数が上記第２送信周波数より高い、
項目１３に記載の電子デバイス。
（項目１５）
プロセッサと通信インタフェースとを備えるチップであって、上記プロセッサは、メモリ内に記憶されるコンピュータプログラムを読み取り、実行して、項目１から７のいずれか一項に記載の無線充電方法を実装するように構成される、チップ。
（項目１６）
プロセッサと、送受信器と、メモリとを備える電子デバイスであって、上記メモリは、１または複数のプログラムを記憶するように構成され、上記１または複数のプログラムは、コンピュータにより実行可能な命令を含み、上記電子デバイスが実行されると、上記プロセッサは、上記メモリ内に記憶される上記コンピュータにより実行可能な命令を実行し、結果として、上記電子デバイスは、項目１から７のいずれか一項に記載の無線充電方法を実行するように上記送受信器を制御する、電子デバイス。
（項目１７）
コンピュータ命令を記憶するコンピュータ可読記憶媒体であって、コンピュータ上で上記コンピュータ命令が実行されると、上記コンピュータプログラムは、項目１から７のいずれか一項に記載の無線充電方法を実行することができる、コンピュータ可読記憶媒体。
（項目１８）
コンピュータプログラムコードを備えるコンピュータプログラム製品であって、コンピュータ上で上記コンピュータプログラムコードが実行されると、上記コンピュータは、項目１から７のいずれか一項に記載の無線充電方法を実行することができる、コンピュータプログラム製品。
【国際調査報告】
2022501703.tif 000012
2022501703.tif 000013
2022501703.tif 000014
2022501703.tif 000015